【事件の表示】
　特願２００３−　９７３７５「画像処理装置、画像処理方法、デジタルカメラ、画像処理プログラムおよび可読記録媒体」拒絶査定不服審判事件〔平成１６年１０月２８日出願公開、特開２００４−３０４６６３〕について、次のとおり審決する。
【結　論】
　本件審判の請求は、成り立たない。
【理　由】
第１　経緯等
１．手続
　本件出願は、平成１５年３月３１日の出願（特願２００３−９７３７５号）であって、平成１９年３月９日付けで拒絶の理由が通知され、これに対し、平成１９年５月８日付けで意見書が提出されると同時に手続補正がなされたが、平成１９年５月２８日付けで拒絶査定がなされた。
　本件は、上記拒絶査定を不服として平成１９年６月２９日に請求された拒絶査定不服審判であり、平成１９年７月２５日付けで手続補正（明細書又は図面について請求の日から３０日以内にする補正）がなされた。
　
２．査定
　原審での査定の理由は、概略、以下のとおりである。
　
　本願の各請求項に係る発明は、下記刊行物に記載された発明及び周知の事項に基づいて当業者が容易に発明をすることができたものであるから、特許法第２９条第２項の規定により、特許を受けることができない。
　　　　　　　　　　　　　　　　　記
刊行物１：特開２００２−２１８２９８号公報
刊行物２：特開２００２−２３７９９８号公報
刊行物３：特開２０００−１９６９５３号公報
刊行物４：特開平９−３０７７８９号公報
刊行物５：特開２０００−３２４５０５号公報 （拒絶査定時に周知の事項を示すために提示。）
　
第２　平成１９年７月２５日付けの手続補正についての補正却下の決定
　
［補正却下の決定の結論］
　　平成１９年７月２５日付けの手続補正を却下する。
　
［補正却下の決定の理由］
１．本件補正
　本件補正は、特許請求の範囲についてするものであり、補正前に
「【請求項１】　ホワイトバランスのずれによる着色を補正するために、
　画素位置による分光感度差補正用の補正値データが記憶された補正値データ記憶手段と、
　該補正値データ記憶手段に記憶された補正値データを用いて各画素毎の補正値を求める補正値抽出手段と、
　各画素の画像信号の少なくとも１色の色信号に対して、該補正値抽出手段で算出された補正値を用いて光量補正を行う補正手段とを備えた画像処理装置。
　　【請求項２】　補正対象の画素と画像中心部との距離を算出する距離算出手段をさらに有し、前記補正値データ記憶手段には該距離に対応した前記補正値データが記憶され、前記補正値抽出手段は、算出された距離に応じた補正値データから各画素毎の補正値を求める請求項１記載の画像処理装置。
　　【請求項３】　前記補正値データ記憶手段には、前記補正値と距離との関係をｎ本（ｎは自然数）の折れ線に近似させるための係数が記憶され、前記補正値抽出手段は、前記距離算出手段によって算出された距離と、該補正値データ記憶手段に記憶された係数とから各画素毎の補正値を算出する請求項２記載の画像処理装置。
　　【請求項４】　前記補正値データ記憶手段には、前記補正値と距離との関係をｎ次関数（ｎは自然数）に近似させるための係数が記憶され、前記補正値抽出手段は、前記距離算出手段によって算出された距離と、該補正値データ記憶手段に記憶された係数とから各画素毎の補正値を算出する請求項２記載の画像処理装置。
　　【請求項５】　前記距離算出手段は、補正対象の画素と画像中心部との距離を、水平方向の距離と垂直方向の距離に関するｎ次関数（ｎは自然数）に近似させた関数によって求める請求項２〜４の何れかに記載の画像処理装置。
　　【請求項６】　前記画像信号は、赤外線カットフィルタを介して固体撮像素子に入射された光が該固体撮像素子で変換された電気信号に対応した色信号である請求項１記載の画像処理装置。
　　【請求項７】　前記補正手段は、各画素毎の画像信号に対して、前記補正値抽出手段にて算出された補正値を用いて、分光感度差が生じた赤色（Ｒ）信号の光量補正を行う請求項６記載の画像処理装置。
　　【請求項８】　前記補正値データは、補正対象の画素と画像の中心部との距離が大きくなるにつれて前記補正値が増加するように設定されている請求項１記載の画像処理装置。
　　【請求項９】　固体撮像素子を有する固体撮像装置と、請求項１〜８の何れかに記載の画像処理装置とを備え、該固体撮像素子にて被写体を撮像して得られる画像信号に対して、該画像処理装置を用いて少なくとも１色の色信号の分光感度差に対応した光量補正を行うデジタルカメラ。
　　【請求項１０】　ホワイトバランスのずれによる着色を補正するために、
　外部機器から出力される画像信号を記憶手段に記憶させる画像信号記憶制御手段と、
　補正対象の画素と画像中心部との距離を算出する距離算出制御手段と、
　算出された距離に応じた分光感度差補正用の補正値データから各画素毎の補正値を算出する補正値算出制御手段と、
　該記憶手段に記憶した各画素の画像信号の少なくとも１色の色信号に対して、
該補正値算出制御手段で算出された補正値を用いて光量補正を行う補正制御手段とを備えた画像処理装置。
　　【請求項１１】　 ホワイトバランスのずれによる着色を補正するために、
　外部機器から出力される画像信号を記憶手段に記憶させるステップと、
　補正対象の画素と画像中心部との距離を算出するステップと、
　算出された距離に応じた分光感度差補正用の補正値データから各画素毎の補正値を算出するステップと、
　該記憶手段に記憶した各画素の画像信号の少なくとも１色の色信号に対して、
該補正値算出制御手段で算出された補正値を用いて光量補正を行うステップとを含む画像処理方法。
　　【請求項１２】　請求項１１記載の画像処理方法の各処理手順をコンピュータに実行させる画像処理プログラム。
　　【請求項１３】　請求項１２記載の画像処理プログラムが記録された可読記録媒体。」
　
　とあったものを、
　
「【請求項１】　ホワイトバランスのずれによる着色を補正するために、
　　
補正対象の画素と画像中心部との距離を算出する距離算出手段と、
該距離に対応した、
　
算出された距離に応じた補正値データから
　各画素の画像信号
におけるＲＧＢの各色信号のうち
または２色
求めら
他の色との分光感度差による
　　　【請求項２】　前記補正値データ記憶手段には、前記補正値と距離との関係をｎ本（ｎは自然数）の折れ線に近似させるための係数が記憶され、前記補正値抽出手段は、前記距離算出手段によって算出された距離と、該補正値データ記憶手段に記憶された係数とから各画素毎の補正値を算出する請求項
１
　　　【請求項３】　前記補正値データ記憶手段には、前記補正値と距離との関係をｎ次関数（ｎは自然数）に近似させるための係数が記憶され、前記補正値抽出手段は、前記距離算出手段によって算出された距離と、該補正値データ記憶手段に記憶された係数とから各画素毎の補正値を算出する請求項
１
　　　【請求項４】　前記距離算出手段は、補正対象の画素と画像中心部との距離を、水平方向の距離と垂直方向の距離に関するｎ次関数（ｎは自然数）に近似させた関数によって求める請求項
１〜３
　　　【請求項５】　前記画像信号は、赤外線カットフィルタを介して固体撮像素子に入射された光が該固体撮像素子で変換された電気信号に対応した色信号である請求項１記載の画像処理装置。
　　　【請求項６】　前記補正手段は、各画素毎の画像信号に対して、前記補正値抽出手段にて算出された補正値を用いて、分光感度差が生じた赤色（Ｒ）信号の光量補正を行う請求項５記載の画像処理装置。
　　　【請求項７】　前記補正値データは、補正対象の画素と画像の中心部との距離が大きくなるにつれて前記補正値が増加するように設定されている請求項１記載の画像処理装置。
　　　【請求項８】　固体撮像素子を有する固体撮像装置と、請求項１〜
７
　　　【請求項９】　ホワイトバランスのずれによる着色を補正するために、
　外部機器から出力される画像信号を記憶手段に記憶させる画像信号記憶制御手段と、
　補正対象の画素と画像中心部との距離を算出する距離算出制御手段と、
　算出された距離に応じた分光感度差補正用の補正値データから各画素毎の補正値を算出する補正値算出制御手段と、
　該記憶手段に記憶した各画素の画像信号
におけるＲＧＢの各色信号のうち
または２色
該補正値算出制御手段で算出された補正値を用いて
他の色との分光感度差による
　　　【請求項１０】　ホワイトバランスのずれによる着色を補正するために、
　外部機器から出力される画像信号を記憶手段に記憶させるステップと、
　 補正対象の画素と画像中心部との距離を算出するステップと、
　算出された距離に応じた分光感度差補正用の補正値データから各画素毎の補正値を算出するステップと、
　該記憶手段に記憶した各画素の画像信号
におけるＲＧＢの各色信号のうち
または２色
該補正値算出制御手段で算出された補正値を用いて
他の色との分光感度差による
　　　【請求項１１】　請求項
１０
　　　【請求項１２】　請求項
１１
と補正しようとするものである。
　
２．補正事項の概要
　本件補正は特許請求の範囲についてするものを含み、このうち請求項１についてする補正は、以下のとおり、補正事項Ａ、補正事項Ｂ及び補正事項Ｃである。
　
（１）補正事項Ａ
「画素位置による分光感度差補正用の補正値データが記憶された補正値データ記憶手段」（補正前）を、
「
補正対象の画素と画像中心部との距離を算出する距離算出手段と、
該距離に対応した、
　
（２）補正事項Ｂ
「該補正値データ記憶手段に記憶された補正値データを用いて各画素毎の補正値を求める補正値抽出手段」（補正前）を、
「
算出された距離に応じた補正値データから
　
（３）補正事項Ｃ
「各画素の画像信号の少なくとも１色の色信号に対して、該補正値抽出手段で算出された補正値を用いて光量補正を行う補正手段」（補正前）を、
「各画素の画像信号
におけるＲＧＢの各色信号のうち
または２色
該補正値抽出手段で
求めら
他の色との分光感度差による
　
３．補正の範囲
（１）補正事項Ａ及び補正事項Ｂについて
　補正事項Ａ及び補正事項Ｂについては、本件出願の願書に最初に添付した明細書又は図面（以下「本願当初明細書等」という。）の段落【００２１】、段落【００５７】以降の（実施形態２）に記載されており、当初明細書等のすべての記載を総合することにより導かれる技術的事項との関係において、新たな技術的事項を導入しないものであると認められる。
　
（２）補正事項Ｃについて
ア「各画素の画像信号
におけるＲＧＢの各色信号のうち
または２色
　「各画素の画像信号
におけるＲＧＢの各色信号のうち
または２色
　と補正するものについては、本願当初明細書等の段落【００７７】に、「補正可変ゲイン部１１を二つ以上設けて、２色以上の色信号の補正を行うようにしてもよい」とある。
　してみれば「各画素の画像信号
におけるＲＧＢの各色信号のうち
または２色
　
イ「１色または２色の色信号」に対して行う「
他の色との分光感度差による
　「
他の色との分光感度差による
　
（ア）第１の解釈　−　「他の色との分光感度差による光量補正」
　請求人は、「他の色との分光感度差による光量補正」とは、
　Ｇ信号やＢ信号も、画面中央部に比べて画面外周部で光量レベルが低く、色シェーディングの影響を受けた状態であるから、その色シェーディングが発生したＧ信号やＢ信号の光量レベルに、画面中央部に比べて画面外周部で、他のＧ信号やＢ信号よりも一段と減光するＲ信号の光量レベルを合わせようとする補正や、
　逆に、画面中央部に比べて画面外周部で光量レベルが低く、色シェーディングの影響を受けたＲ信号の１色の光量レベル側に、Ｒ信号よりも減光の度合いが少ない他のＧ信号やＢ信号の２色の光量レベルを下げて近づけるようにする補正
　をいうものである旨、主張しており（平成１９年７月２５日付けの手続補正書における請求の理由「３．（２）」）、この主張のとおりと理解する解釈。
　この解釈によれば、「１色
または２色
他の色との分光感度差による
　＜１色の場合＞
　色シェーディング（画像の中心部と画像の周辺部の分光感度差）が生じた「１色（Ｒ）の色信号」に対して行う、同じく
色シェーディング
が生じた
　＜２色の場合＞
　色シェーディング（画像の中心部と画像の周辺部の分光感度差）が生じた「２色（ＧとＢ）の色信号」に対して行う、同じく
色シェーディング
が生じた
　を意味するものとの解釈である。
　
（イ）第２の解釈　−　「
他の色との分光感度差による
　色シェーディング（画像の中心部と画像の周辺部の分光感度差）は「１色（Ｒ）の色信号」に
のみ
　色シェーディングが生じた「１色（Ｒ）の色信号」に対して行う、色シェーディング（画像の中心部と画像の周辺部の分光感度差）をなくす補正であって、結果として他の色（ＧとＢ）との光量差が生じなくなる補正、
　または、
　色シェーディング（画像の中心部と画像の周辺部の分光感度差）は「２色（Ｒと、例えばＧ）の色信号」にのみ生じる（他の色（残る１色、例えばＢ）はそのような分光感度差が無い、又は、非常に小さい）ことを前提に、
　色シェーディングが生じた「２色（Ｒと、例えばＧ）の色信号」に対して行う、色シェーディング（画像の中心部と画像の周辺部の分光感度差）をなくす補正であって、結果として他の色（残る１色、例えばＢ）との光量差が生じなくなる補正、
　を意味するとの解釈。
　
ウ　検討
　本願当初明細書等には、
（ア）段落【００１６】、【００１７】、【００３４】、【００３７】に、次の記載がある。
　
　「したがって、赤外線カットフィルタ２と固体撮像素子３とを一つの系として考えた場合、図１３に示すように、固体撮像素子３の光学中心である画像の中心部と、画像の周辺部とでは、波長が約６００ｎｍ赤色画素の分光感度特性（波長が約６００ｎｍ）に違いが生じ、画像の中心部に比べて画像の周辺部では感度が低くなり、Ｒ信号が小さくなる。図１３は、縦軸が感度、横軸が入射角を示しており、入射角度が０°である画像中心部の赤色画素の感度を１００％として、入射角度が大きくなる周辺部の分光感度を相対的に表している。」（段落【００１６】）
　「このように、画像の中心部とその周辺部とでは赤色画素の分光感度が異なり、画像周辺部では画像中心部に比べて赤色の分光感度が低いため、画像中心部に合わせてホワイトバランスを調整すると、画像周辺部ではホワイトバランスがずれることになる。このため、周辺部に着色が発生し、周辺部の表示画像が著しく劣化してしまうという問題が生じる。」（段落【００１７】）
　「本発明においては、被写体からの光の入射角度が大きくなったときに生じる分光感度差に起因して、ホワイトバランスのずれによる画像周辺部の着色が生じるが、これを、分光感度差が発生した色信号の光量補正を行うことによって適正に補正することが可能となる。」（段落【００３４】）
　「さらに、赤外線カットフィルタを使用した場合に、被写体からの光の入射角度が大きくなったときに、画像周辺部の赤色画素の分光感度が低下してホワイトバランスがずれることによる着色を補正することも可能となる。」（段落【００３７】）
　
　これらの記載によれば、本願当初明細書等には、
「赤外線カットフィルタ２と固体撮像素子３とを一つの系として考えた場合」、「画像の中心部とその周辺部とでは赤色画素の分光感度が異なり、画像周辺部では画像中心部に比べて赤色の分光感度が低いため、画像中心部に合わせてホワイトバランスを調整すると、画像周辺部ではホワイトバランスがずれ」、「このため、周辺部に着色が発生」するが、「本発明においては、」「これを、分光感度差が発生した色信号の光量補正を行うことによって適正に補正することが可能となる」ものであり、「赤外線カットフィルタを使用した場合に、被写体からの光の入射角度が大きくなったときに、画像周辺部の赤色画素の分光感度が低下してホワイトバランスがずれることによる着色を補正することも可能となる」ことが記載されていると認められる。
　
（イ）段落【００４９】には、
　「図１３に示すように、画像中心部から周辺部に向かって少なくなるＲ信号の感度を補正するために、補正値記憶部９には、画像中心部から周辺部に向かって補正値が大きくなるように、分光感度差による光量補正値（これを以下に感度補正値という）が記憶されている。」
　と記載があり、図１３も参照すれば、図１３には「画像中心部から周辺部に向かって少なくなるＲ信号」の感度が示されていると認められる。
　また、段落【００６０】、【００６１】には、
　「図１３に示したように、赤外線カットフィルタ２を通過した後のＣＣＤ３の感度特性は、入射角度が小さい画像中心部に比べて、入射角度が大きくなる画像周辺部においてＲ信号が小さくなる。」（【００６０】）
　「そこで、本実施形態２では、その分光感度曲線の逆関数となるような分光感度差補正曲線によってＲ信号の補正を行う。」（【００６１】）
　と記載があり、
　Ｒ信号には、画像中心部と画像周辺部で分光感度差（図１３）が生じ、その分光感度曲線の逆関数となるような分光感度差補正曲線によってＲ信号の補正を行う
　ことが記載されていると認められる。
　
（ウ）そして、
　Ｇ信号、Ｂ信号に、上記Ｒ信号で生じるような画像の中心部と画像の周辺部との分光感度差が生じるとの明示的記載は無い。
　
（エ）更に、
　画像の中心部と画像の周辺部の分光感度差が生じた色（Ｒ色）に対して、それ以外の色であって、画像の中心部と画像の周辺部の分光感度差が生じた色（Ｇ色、Ｂ色）との光量差をなくす補正については、明示的な記載は一切無い。
　
（オ）段落【００７７】には「補正手段に補正可変ゲイン部１１を一つ設けてＲ信号の補正を行うことによって画像周辺部の着色を補正しているが、補正可変ゲイン部１１を二つ以上設けて、２色以上の色信号の補正を行うようにしてもよい」という記載がある。
　
（カ）段落【００７７】の「２色
以上
　Ｇ信号、Ｂ信号に、上記Ｒ信号で生じるような画像の中心部と画像の周辺部の分光感度差が生じるとの明示的記載は無いものの、
　非常に小さいかもしれないがＧ信号やＢ信号にも画像の中心部と画像の周辺部の分光感度差が生じることもあり得、その場合に、２色以上の色信号の補正を行うことは、Ｒ信号とＧ信号の２色の信号に対して、又はＲ信号とＧ信号とＢ信号の３色の信号に対して、それぞれ図１３のような分光感度差の逆関数となる分光感度差補正曲線で補正し、結果として他の色との光量差を生じなくなるようにすることをいう、と理解することができる。
　したがって、「１色
または２色
他の色との分光感度差による
　このことは、本件出願当時公知である刊行物１（特開２００２−２１８２９８号公報）の「なお、ここでは、赤色シェーディングを防止することを説明したが、特に赤色に限定されるものではなく、他の色の色シェーディングにも本発明は適用できる」（段落【００９４】）との記載からみても首肯できる。
　すなわち、上記「（オ）」は、上記「第２の解釈」に符合する。
　
（キ）これに対し、上記「（オ）」は「２色以上」と記載していることから、「３色」もあり得ることとして想定されていることは明らかであるところ、
　上記「第１の解釈」による「光量補正」は、「他の色」との光量差をなくす補正である以上、原理的に３色に対して補正することはあり得ないものであるから、
　上記「（オ）」が、上記「第１の解釈」による「光量補正」をいうものといえないことは明らかであり、むしろ、上記「（オ）」は、上記「第１の解釈」による「光量補正」と矛盾する記載というべきである。
　
（ク）まとめ
　以上、上記（ア）〜（キ）によれば、本願当初明細書等には、上記「第２の解釈」による「他の色との分光感度差による光量補正」が記載されている、ということができる一方、上記「第１の解釈」による「他の色との分光感度差による光量補正」は記載されている、とはいえない。
　
　よって、「他の色との分光感度差による光量補正」が上記「第１の解釈」である補正であるとするならば、本件補正前の請求項１において、「光量補正」とあるものを、「他の色との分光感度差による光量補正」と補正するものは、本願当初明細書等のすべての記載を総合することにより導かれる技術的事項との関係において、新たな技術的事項を導入しないものであるとは認められないから、本願当初明細書等に記載した事項の範囲内でするものとはいえない。
　しかし、「他の色との分光感度差による光量補正」が上記「第２の解釈」である補正であるとするならば、本件補正前の請求項１において、「光量補正」とあるものを、「他の色との分光感度差による光量補正」と補正するものは、本願当初明細書等のすべての記載を総合することにより導かれる技術的事項との関係において、新たな技術的事項を導入しないものであると認められるから、本願当初明細書等に記載した事項の範囲内でするものといえる。
　
（３）補正の範囲についてのまとめ
　以上から、本件補正は、「他の色との分光感度差による光量補正」が上記「第１の解釈」による補正であるとするならば、本願当初明細書等に記載した事項の範囲内でするものとはいえないから、平成１４年法律第２４号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。
　
　他方、「他の色との分光感度差による光量補正」が上記「第２の解釈」による補正であるとするならば、これは、本願当初明細書等に記載した事項の範囲内でするものといえるから、本件補正の「他の色との分光感度差による光量補正」が上記「第２の解釈」によるものとして、以降、補正の目的、独立特許要件の検討を続ける。
　
４．補正の目的
ア　補正事項Ａについて
　「画素位置による分光感度差補正用の補正値データが記憶された補正値データ記憶手段」を「補正対象の画素と画像中心部との距離を算出する距離算出手段と、該距離に対応した、画素位置による分光感度差補正用の補正値データが記憶された補正値データ記憶手段」とする補正は、補正値データ記憶手段に記憶される「補正値データ」について「補正対象の画素と画像中心部との距離」「に対応した」ものであるという限定をして、更に、当該距離に関して、当該距離を算出する距離算出手段を設けるという限定をするものである。
　
イ　補正事項Ｂについて
　「該補正値データ記憶手段に記憶された補正値データを用いて各画素毎の補正値を求める補正値抽出手段」を「算出された距離に応じた補正値データから各画素毎の補正値を求める補正値抽出手段」とする補正は、上記「ア」の補正に伴う補正に過ぎず、補正値データを「算出された（補正対象の画素と画像中心部との）距離に応じた」補正値データとするという限定をするものである。
　なお、「該補正値データ記憶手段に記憶された」という文言は削除されているが、補正値データが「補正値データ記憶手段に記憶されて」いるものであることは、上記「ア」の補正後の「画素位置による分光感度差補正用の補正値データが記憶された補正値データ記憶手段」に記載されており、発明特定事項を削除するものではない。
　
ウ　補正事項Ｃについて
　「各画素の画像信号の少なくとも１色の色信号に対して」を「各画素の画像信号におけるＲＧＢの各色信号のうち１色または２色の色信号に対して」とする補正は、光量補正を行う対象である色信号を「ＲＧＢの各色信号のうち１色または２色」と限定するものであり、「光量補正」を「他の色との分光感度差による光量補正」（前記「第２の解釈」による）とする補正は、光量補正について「他の色との分光感度差による」という限定をするものである。
　
エ　まとめ
　以上のとおり、本件補正のうち請求項１についてする補正は、本件補正前の請求項１に記載した発明を特定するために必要な事項を限定するものであり、また、本件補正前の請求項１に記載された発明と産業上の利用分野及び解決しようとする課題も同一であるから、本件補正のうち請求項１についてする補正は特許法第１７条の２第４項第２号に掲げる、特許請求の範囲の減縮を目的とするものであるといえる。
　
５．独立特許要件
　本件補正後における特許請求の範囲に記載されている事項により構成される発明が特許出願の際独立して特許を受けることができるものであるか否かを、請求項１に係る発明（以下、「本願補正発明」という。下記に再掲）について以下に検討する。
　
　　　　　　　　　　記（本願補正発明、再掲）
　
　ホワイトバランスのずれによる着色を補正するために、
　補正対象の画素と画像中心部との距離を算出する距離算出手段と、
　該距離に対応した、画素位置による分光感度差補正用の補正値データが記憶された補正値データ記憶手段と、
　算出された距離に応じた補正値データから各画素毎の補正値を求める補正値抽出手段と、
　各画素の画像信号におけるＲＧＢの各色信号のうち１色または２色の色信号に対して、該補正値抽出手段で求められた補正値を用いて他の色との分光感度差による光量補正を行う補正手段とを備えた画像処理装置。
　
（１）引用刊行物の記載
　原査定の拒絶の理由に引用された特開２００２−２１８２９８号公報（以下、「刊行物１」という。）には、図面とともに次の記載がある。
　
ア　「【０００１】
【発明の属する技術分野】本発明は、撮像装置、シェーディング補正方法、及び記憶媒体に関し、特に、撮像素子を備えるとともに、撮像レンズが交換可能である撮像装置、該撮像装置に適用されるシェーディング補正方法、及び該シェーディング補正方法を実行するプログラムを記憶した記憶媒体に関する。」
　
イ　「【０００７】ところ、このような従来のレンズ交換可能なデジタルカメラに用いる撮像素子には、画素毎の光感度を向上させるために、図１１に示すようなマイクロレンズが、撮像素子の感光画素部分毎に設けられている。
【０００８】図１１は、マイクロレンズの位置と撮像レンズからの入射光角度との関係によって発生するシェーディング（撮影レンズからの入射光の入射角度に依存する空間的な感度不均一性）の発生原理を示した図である。図中、２０はフィールドレンズとしての撮影レンズを、２１はマイクロレンズを、２２は撮像素子の感光部を表している。
【０００９】マイクロレンズ２１を撮像素子の各画素の感光部２２毎に設けることで、たとえ撮像素子の感光部２２の有効感度領域が狭くなったとしても、周辺の光を感光部２２に有効に集めることが可能となっている。
【００１０】しかしながら、図１１（ａ）に示すように、撮影レンズ２０を通した光線がほぼ垂直に撮像素子の感光部２２に入射する場合は、ほぼ問題無く入射光線が撮像素子の感光部２２に集まるが、図１１（ｂ）に示すように、撮影レンズ２０を通した光線が斜めに撮像素子に入射する場合は、撮影レンズ２０とマイクロレンズ２１との光学的な関係で、撮影レンズ２０の光軸から離れた領域（撮像素子の周辺部分）の各感光部には、本来の入射光線の一部しか入射しなくなってしまう。
【００１１】このような光量の低下を一般的にはホワイトシェーディングと呼ぶが、この現象は、撮像素子上の画素位置が撮影レンズ２０の光軸から離れるに従って激しくなる。
【００１２】この撮影レンズ２０と撮像素子上のマイクロレンズ２１との組み合わせで発生するホワイトシェーディングを補正する方法が、例えば特開平６−１９７２６６号公報に開示されている。この方法では、撮像用のレンズ内に設けられたメモリにシェーディング補正データを予め記憶しておき、撮影時にそれを読み出して、アナログ／デジタル変換回路の基準電圧をこれに基づき作成し、アナログ撮像信号をこの基準電圧に基づきデジタル信号に変換して、シェーディング補正を行なっている。
【００１３】
【発明が解決しようとする課題】ところで、上記の従来のレンズ交換可能なデジタルカメラに、従来の一眼レフタイプの銀塩フィルムカメラにおける光学システム（例えば交換レンズシステム）を流用する場合は、このレンズ交換可能なデジタルカメラは、こうした流用が不可能なデジタルカメラの撮像素子に比較して、かなり大きなサイズの撮像素子が必要となる。
【００１４】しかしながら、この大きなサイズの撮像素子では、撮像レンズによっては、撮像素子周辺部への光線の入射角が大きくなってしまうものがある。この場合、マイクロレンズの位置、オンチップ色フィルタの製作ズレ、撮像素子のデバイス構造等に起因して、入射角が大きくなる撮像素子周辺部で感度が低下する感度不均一性（シェーディング）が発生する。これを以下に説明する。
【００１５】図１１に示したように、最近の固体撮像素子は、感度向上のために入射光をフォトダイオード（撮像素子の感光部２２）へ集光するマイクロレンズ２１を備えているが、入射光の入射角が大きくなると、マイクロレンズ２１で屈折した入射光はフォトダイオードの中心から離れたところへ集光してしまうため、その画素の感度が低下してしまう。
【００１６】従来、特開平６−１９７２６６号公報に開示されているように、被写体を結像するレンズの特性によって撮像素子周辺部で入射光の入射角が大きくなることを考慮してシェーディング補正を行う撮像装置は存在したが、レンズを交換できる撮像装置システムでは、レンズを交換すると撮像素子へ入射する光線の入射角度特性が大きく変わってしまい、シェーディング補正を好適に行うことができなかった。
【００１７】また、レンズを交換せず同じレンズを用いているときでも、そのレンズがズームレンズである場合、撮影画角が変わったり、異なる距離の被写体にピントを合わせたりしたときには、撮像レンズの射出瞳位置が変化するために、撮像素子周辺部への入射光の入射角が変わってしまい、シェーディング補正を好適に行うことができなかった。
【００１８】さらに、図１２は、積層タイプ反射型赤外光カットフィルタによる色シェーディングの発生原理を概念的に表わした図である。図１２（ａ）は反射型赤外光カットフィルタの入射角に依存する分光透過率特性を示し、図１２（ｂ）はオンチップカラーフィルタを備える撮像素子の分光感度特性の一例を示し、図１２（ｃ）は赤フィルタ画素の感度を示す。ここでは、ＲＧＢ原色タイプのオンチップカラーフィルタを持つ撮像素子の例を示している。なお、図１２（ａ）の横軸の波長と図１２（ｂ）の横軸の波長とは同じレベル目盛である。
【００１９】図１２（ａ）に示すような分光透過率特性を持つ赤外光カットフィルタを通ってきた光が、図１２（ｂ）に示す分光感度特性をもつ撮像素子に入射されたとする。この場合、図１２（ａ）及び（ｂ）から分かるように、青と緑のカラーフィルタの波長領域では、赤外光カットフィルタの分光透過率特性に入射角度依存性は少なく、一方、赤のカラーフィルタの波長領域では、赤外光カットフィルタの分光透過率特性が大きな入射角度依存性を持っている。また、撮像素子から出力される信号の感度特性は、赤外光カットフィルタの分光透過率特性と、撮像素子の分光感度特性の積で表わされる。したがって、入射光の入射角が大きい場合は赤のカラーフィルタを持つ画素の感度が落ちてしまい、図１２（ｃ）に示すように、撮像素子周辺部で赤フィルタを持つ画素の感度だけが低下する色シェーディングが発生する。
【００２０】本発明はこのような問題点に鑑みてなされたものであって、撮影レンズが交換可能な撮像装置において、撮影レンズの交換に関わりなく撮像素子平面上の感度不均一性を解消するようにした撮像装置、シェーディング補正方法、及び記憶媒体を提供することを目的とする。
【００２１】また、撮像素子の特定の色チャンネルで発生する色シェーディングを補正することを可能にした撮像装置、シェーディング補正方法、及び記憶媒体を提供することを他の目的とする。」
　
ウ　「【００２２】
【課題を解決するための手段】上記目的を達成するために、請求項１記載の発明によれば、撮像素子を備えるとともに、撮像レンズが交換可能である撮像装置において、前記撮像素子の平面上に２次元配列された各画素にそれぞれ対応したシェーディング補正係数を記憶する記憶手段と、前記撮像素子の各画素からそれぞれ取り出された輝度データに対して、前記記憶手段に記憶されたシェーディング補正係数の中から対応画素に関するシェーディング補正係数を抽出して補正演算する補正手段とを有することを特徴とする。」
　
エ　「【００２５】請求項１０記載の発明によれば、特定波長領域を透過させない色フィルタが、前記撮像レンズと前記撮像素子との間に設けられている場合には、前記記憶手段は、前記色フィルタによって影響を受ける画素と、受けない画素とに分けて対応シェーディング補正係数を記憶することを特徴とする。」
　
オ　「【００２８】
【発明の実施の形態】以下、本発明の実施の形態を、図面を参照して説明する。
【００２９】図１は、本発明に係る撮像装置（デジタルスチルカメラ）の一実施の形態の構成を示すブロック図である。この撮像装置ではレンズ交換が可能である。
【００３０】図中１はカメラ全体の制御を司る全体制御ＣＰＵ、２は射出瞳位置検出部、３は交換レンズである。交換レンズ３は射出瞳位置情報を内部に備え、検出部２は、交換レンズ３に備えられたその射出瞳位置情報を検出し、検出値を修正してエンコード情報を作成し、ＣＰＵ１に出力する。
【００３１】射出瞳位置情報は後述のように、シェーディング補正係数の算出に使用されるが、その算出の前に射出瞳位置情報は、交換レンズ３のズーム位置、フォーカス位置、像高、絞り量の少なくとも１つに応じて修正される。すなわち、射出瞳位置は一般に、撮像レンズと撮像素子との光軸上の距離で表されるが、これはズームやフォーカスの変化に連動して変わる。また、像高（撮像素子平面において着目画素の位置と光軸上の点との距離）が変わることによっても若干変化することが知られている。さらに、絞り量が変わると、撮像素子の着目画素に入射する光の入射角の範囲が変化する。これらの変化はシェーディング補正係数を算出する際の誤差となって現れるので、精度の高いシェーディング補正をするために、交換レンズ３の射出瞳位置情報を、交換レンズ３のズーム位置、フォーカス位置、像高、絞り量の少なくとも１つに応じて修正する。
【００３２】４は積層型反射タイプの赤外光カットフィルタ、５は撮像素子である。撮像素子５は、例えばＣＣＤ等の電荷転送素子から成り、交換レンズ３を通して被写体像が結像され、その結果蓄積された電荷を電気信号として、画素毎に順々に読み出してＣＤＳ／ＡＧＣ回路６へ出力する。ＣＤＳ／ＡＧＣ回路６は、撮像素子５内で発生するリセットノイズ等の雑音成分を抑圧し、適当なレベルまで増幅してから、この出力をＡ／Ｄ変換回路７へ出力する。Ａ／Ｄ変換回路７は、上記の電荷量に相当する被写体の輝度データをデジタルデータに変換する。なお、撮像素子５上には、ＲＧＢ等の各色信号を作り出すための光学色フィルタが貼り付けられているので、撮像素子５からの出力信号は各色を順次示す信号となる。
【００３３】８はドライバであり、撮像素子５の各素子で電荷蓄積を行うために必要な電気エネルギを素子毎に供給する。すなわち、タイミングジェネレータ９から送られるタイミング信号に基づいて、撮像素子５を水平方向及び垂直方向に走査して供給を行う。
【００３４】タイミングジェネレータ９からは、水平同期信号ＨＤ及び垂直同期信号ＶＤがアドレス発生回路１０へ供給され、アドレス発生回路１０では、それらの同期信号に基づいてアドレス信号を発生する。
【００３５】１２〜１５は、後述する撮像素子５の感度補正（シェーディング補正）を行うために必要な補正データを記憶するメモリであり、１２は水平方向の第１補正データを記憶しているＨメモリＨ１、１３は水平方向の第２補正データを記憶しているＨメモリＨ２、１４は垂直方向の第１補正データを記憶しているＶメモリＶ１、１５は垂直方向の第２補正データを記憶しているＶメモリＶ２である。
【００３６】アドレス判別回路１１は、アドレス発生回路１０から出力されたアドレス信号に基づいて所定信号ＨＳＥＬ，ＶＳＥＬを出力する。
【００３７】１６、１７はセレクタであり、メモリ１２〜１５から送られる各出力信号の中から、アドレス判別回路１１から送られる所定信号ＨＳＥＬ，ＶＳＥＬに基づいてそれぞれ選択を行い、水平方向及び垂直方向の補正データを出力するものである。
【００３８】１８は乗算回路ＭＵＬ１であり、Ａ／Ｄ変換回路７から出力される画素毎の輝度データと、セレクタ１６を介して得られる水平方向の補正データとの乗算を行うものである。１９は乗算回路ＭＵＬ２であり、乗算回路（ＭＵＬ１）１８の出力と、セレクタ１７を介して得られる垂直方向の補正データとの乗算を行うものである。
【００３９】この乗算回路（ＭＵＬ２）１９から出力された感度補正（シェーディング補正）が施された画素毎の輝度データは、通常、プロセス処理回路（図示せず）へ送られ、ここでダークレベル補正やγ変換、色補間処理が行われ、その結果がメモリ（図示せず）に記憶されるようになっている。」
　
カ　「【００４６】次に、図１に示した撮像装置において行われる感度補正（シェーディング補正）処理を、図３及び図４を参照して説明する。
【００４７】図３は、撮影レンズと撮像素子デバイス構造との組み合わせで発生するシェーディングを補正するシェーディング補正係数を示す図である。
【００４８】すなわち、射出瞳位置が撮像素子に比較的近く、撮像素子周辺部で感度が大きく低下している場合は、シェーディング補正係数を、図３（ａ）のように像高の高いところ（撮像素子周辺部）で大きくなるようにして、撮像素子の出力信号を増幅するようにする。反対に射出瞳位置が遠く、撮像素子周辺部で感度はあまり低下しない場合は、シェーディング補正係数を、図３（ｂ）のように像高の高いところ（撮像素子周辺部）で僅か大きくなるようにして、撮像素子の出力信号を若干増幅するようにする。具体的には、図１に示す射出瞳位置検出部２が交換レンズ３に備えられた射出瞳位置情報を読み出し、上記のようにズーム位置、フォーカス位置等に応じて修正を加えて全体制御ＣＰＵ１へ送り、全体制御ＣＰＵ１が、修正された射出瞳位置情報に応じてシェーディング補正係数を算出する。
【００４９】なおこのとき、像高にシェーディング補正係数を厳密に対応させようとすると、撮像素子を中心とした同心円状にシェーディング補正係数を対応させなければならず、ハードウェア処理が難しくなる。そこで、本実施の形態では、図４に示すようなシェーディング補正係数を設定する。
【００５０】図４は、本実施の形態におけるシェーディング補正係数を示す図である。（ａ）は撮像素子の平面を示し、（ｂ）は水平方向のシェーディング補正係数成分を示し、（ｃ）は垂直方向のシェーディング補正係数成分を示す。
【００５１】すなわち、水平方向においては、感度が低くなっている撮像素子左右の周辺部分に対して感度を上げるようにシェーディング補正係数を設定し、垂直方向においては、感度が低くなっている撮像素子上下の周辺部分に対して感度を上げるようにシェーディング補正係数を設定し、水平方向、垂直方向のシェーディング補正係数を画像平面上で掛け合わせたときに、擬似的に同心円状になるように設定する。この疑似同心円状の補正は、感度が、後述の図６に示すように、撮像素子へ入射する光の入射角に対して十分になだらかに変化し、かつ変化量が少ないならば、同心円状に補正する場合に比べ、十分に満足できる精度となる。」
　
キ　「【００６３】かくして、撮影レンズ２０とマイクロレンズ２１との光学的な関係で生じるシェーディングについては、色フィルタの性能等に関係なく、撮像素子５の１画面分の出力に対して、水平方向、垂直方向にそれぞれ１つずつのシェーディング補正係数で補正する。すなわち、図１に示す構成において、Ａ／Ｄ変換回路７から出力された画素毎の輝度データに対して、乗算回路（ＭＵＬ１）１８が、画素位置に対応した水平方向のシェーディング補正係数を乗算することにより、まず水平方向の補正を行い、次に乗算回路（ＭＵＬ２）１９が、画素位置に対応した垂直方向のシェーディング補正係数を乗算することにより、垂直方向の補正を行う。これにより、撮像素子５の１画面分の出力に対して、シェーディング補正を行なうことができる。」
　
ク　「【００６７】次に、撮像素子５のデバイス構造と撮像レンズ２０（交換レンズ３）の光学条件で発生する色シェーディングを防止する方法を、以下に説明する。
【００６８】図５に示すように、撮像素子５の前面に積層タイプ反射型の赤外光カットフィルタ４を使用し、撮像素子５が、図１２（ｂ）に示すようなＲＧＢ原色ベイヤーフィルタを備えている場合、図１２（ａ）で示した赤外光カットフィルタの分光透過率特性の入射角依存性により、赤フィルタを持つ画素の感度が大きな入射角依存性を持つ。そのため、図１２（ｃ）のように赤色チャンネルのみに大きくシェーディングが発生し、その他のチャンネルで発生するシェーディングは赤色チャンネルと比べて僅かである。
【００６９】赤外光カットフィルタ４と交換レンズ３との光学的な組み合わせで生じるこうした色シェーディングは、交換レンズ３の射出瞳位置が撮像素子５に近いほど赤外カットフィルタ４の周辺部への入射光の入射角が大きくなるため、色シェーディング量が大きくなる。
【００７０】図８は、ＲＧＢ原色ベイヤーフィルタの配列と、配列に応じた各シェーディング補正係数とを示す図である。（ａ）はＲＧＢ原色ベイヤーフィルタの配列を示し、（ｂ）はＲＧＢ原色ベイヤーフィルタの第１行に対応するシェーディング補正係数Ｈ１（ｉ），Ｈ２（ｉ）を示し、（ｃ）はＲＧＢ原色ベイヤーフィルタの第２行に対応するシェーディング補正係数Ｈ１（ｉ），Ｈ２（ｉ）を示し、（ｄ）はＲＧＢ原色ベイヤーフィルタの第１列に対応するシェーディング補正係数Ｖ１（ｊ），Ｖ２（ｊ）を示し、（ｅ）はＲＧＢ原色ベイヤーフィルタの第２列に対応するシェーディング補正係数Ｖ１（ｊ），Ｖ２（ｊ）を示す。
【００７１】ＲＧＢ原色ベイヤーフィルタは、図８（ａ）のような配列になっているので、例えば第１行の水平ラインでは、Ｇ，Ｒが交互に並び、左端から数えて奇数番号に位置する画素（Ｇ）の出力感度と偶数番号に位置する画素（Ｒ）の出力感度とは異なる。すなわち、Ｒフィルタを持つ画素の出力は、Ｇフィルタを持つ画素の出力に比べ、周辺部で大幅に低下する。そのため、図８（ｂ）に示すようなシェーディング補正係数Ｈ１（ｉ），Ｈ２（ｉ）を設定する。シェーディング補正係数Ｈ１（ｉ）は、Ｒフィルタを持つ画素の出力に適用される補正係数であり、図１のＨメモリ（Ｈ１）１２に格納され、一方、シェーディング補正係数Ｈ２（ｉ）は、Ｇフィルタを持つ画素の出力に適用される補正係数であり、図１のＨメモリ（Ｈ２）１３に格納される。
【００７２】ＲＧＢ原色ベイヤーフィルタの第２行の水平ラインでは、Ｂ，Ｇが交互に並ぶので、左端から数えて奇数番号に位置する画素（Ｂ）の出力感度と偶数番号に位置する画素（Ｇ）の出力感度とは、ほとんど同じである。そのため、図８（ｃ）に示すような同一のシェーディング補正係数Ｈ１（ｉ），Ｈ２（ｉ）を設定する。シェーディング補正係数Ｈ１（ｉ）は、Ｂフィルタを持つ画素の出力に適用される補正係数であり、図１のＨメモリ（Ｈ１）１２に格納され、一方、シェーディング補正係数Ｈ２（ｉ）は、Ｇフィルタを持つ画素の出力に適用される補正係数であり、図１のＨメモリ（Ｈ２）１３に格納される。
【００７３】次に、例えばＲＧＢ原色ベイヤーフィルタの第１列の垂直ラインでは、Ｇ，Ｂが交互に並ぶので、上端から数えて奇数番号に位置する画素（Ｇ）の出力感度と偶数番号に位置する画素（Ｂ）の出力感度とは、ほとんど同じである。そのため、図８（ｄ）に示すような同一のシェーディング補正係数Ｖ１（ｊ），Ｖ２（ｊ）を設定する。シェーディング補正係数Ｖ１（ｊ）は、Ｇフィルタを持つ画素の出力に適用される補正係数であり、図１のＶメモリ（Ｖ１）１４に格納され、一方、シェーディング補正係数Ｖ２（ｊ）は、Ｂフィルタを持つ画素の出力に適用される補正係数であり、図１のＶメモリ（Ｖ２）１５に格納される。
【００７４】一方、ＲＧＢ原色ベイヤーフィルタの第２列の垂直ラインでは、Ｒ，Ｇが交互に並び、上端から数えて奇数番号に位置する画素（Ｇ）の出力感度と偶数番号に位置する画素（Ｇ）の出力感度とは異なる。すなわち、Ｒフィルタを持つ画素の出力は、Ｇフィルタを持つ画素の出力に比べ、周辺部で大幅に低下する。そのため、図８（ｅ）に示すようなシェーディング補正係数Ｖ１（ｊ），Ｖ２（ｊ）を設定する。シェーディング補正係数Ｖ１（ｊ）は、Ｒフィルタを持つ画素の出力に適用される補正係数であり、図１のＶメモリ（Ｖ１）１４に格納され、一方、シェーディング補正係数Ｖ２（ｊ）は、Ｇフィルタを持つ画素の出力に適用される補正係数であり、図１のＶメモリ（Ｖ２）１５に格納される。
【００７５】以上のようにシェーディング補正係数を設定格納して、撮像素子５からの画素毎の輝度データに対して、対象画素の位置の２次元的なアドレスを基に、対応するシェーディング補正係数を読み出して、乗算するようにする。これを、図９を参照して説明する。」
　
ケ　「【００７６】図９は、アドレス判別回路１１で行われる所定信号ＨＳＥＬ，ＶＳＥＬの出力処理の手順を示すフローチャートである。
【００７７】まずステップＳ１で、アドレス発生回路１０から送られた対象画像の２次元アドレスのうち、ＲＧＢ原色ベイヤーフィルタの垂直（列）方向のアドレスが偶数であるか否かを判別する。また、ステップＳ２及びＳ７で、アドレス発生回路１０から送られた対象画像の２次元アドレスのうち、ＲＧＢ原色ベイヤーフィルタの水平（行）方向のアドレスが偶数であるか否かを判別する。
【００７８】こうした判別の結果、対象画像の２次元アドレスのうち、ＲＧＢ原色ベイヤーフィルタの垂直（列）方向のアドレスが奇数（即ち２次元の撮像素子配列でいう奇数行目）であり、且つ水平（行）方向のアドレスが奇数（即ち２次元の撮像素子配列でいう奇数列目）であるならば、ステップＳ３に進み、アドレス判別回路１１は所定信号ＨＳＥＬをＬレベル（０レベル）とする。その結果、セレクタ１６はＨメモリ（Ｈ１）１２の出力であるシェーディング補正係数Ｈ１（ｉ）を乗算回路（ＭＵＬ１）１８へ送る。
【００７９】次にステップＳ４で、アドレス判別回路１１は所定信号ＶＳＥＬをＬレベル（０レベル）とする。その結果、セレクタ１７はＶメモリ（Ｖ１）１４の出力であるシェーディング補正係数Ｖ１（ｊ）を乗算回路（ＭＵＬ２）１９へ送る。
【００８０】この状態を、図８を参照して説明する。
【００８１】すなわち、対象画素が図８（ａ）に示す左上のＧの画素２２であるとした場合、乗算回路（ＭＵＬ１）１８は、図８（ｂ）で実線で示したシェーディング補正係数Ｈ１（ｉ）（Ｈ方向の左側が水平方向の下位アドレスに相当し、Ｈ方向の右側が水平方向の上位アドレスに相当）を用いて輝度データに対する乗算補正を行い、一方、乗算回路（ＭＵＬ２）１９は、図８（ｄ）で実線で示したシェーディング補正係数Ｖ１（ｊ）の特性（Ｖ方向の上側が垂直方向の下位アドレスに相当し、Ｖ方向の下側が垂直方向の上位アドレスに相当）を用いて輝度データに対する乗算補正を行う。
【００８２】また、上記の判別の結果、対象画像の２次元アドレスのうち、ＲＧＢ原色ベイヤーフィルタの垂直（列）方向のアドレスが奇数（即ち２次元の撮像素子配列でいう奇数行目）であり、且つ水平（行）方向のアドレスが偶数（即ち２次元の撮像素子配列でいう偶数列目）であるならば、ステップＳ５に進み、アドレス判別回路１１は所定信号ＨＳＥＬをＨレベル（１レベル）とする。その結果、セレクタ１６はＨメモリ（Ｈ２）１３の出力であるシェーディング補正係数Ｈ２（ｉ）を乗算回路（ＭＵＬ１）１８へ送る。
【００８３】次にステップＳ６で、アドレス判別回路１１は所定信号ＶＳＥＬをＬレベル（０レベル）とする。その結果、セレクタ１７はＶメモリ（Ｖ１）１４の出力であるシェーディング補正係数Ｖ１（ｊ）を乗算回路（ＭＵＬ２）１９へ送る。
【００８４】例えば、対象画素が図８（ａ）に示すＲの画素２３であるとした場合、乗算回路（ＭＵＬ１）１８は、図８（ｂ）で破線で示したシェーディング補正係数Ｈ２（ｉ）（Ｈ方向の左側が水平方向の下位アドレスに相当し、Ｈ方向の右側が水平方向の上位アドレスに相当）を用いて輝度データに対する乗算補正を行い、一方、乗算回路（ＭＵＬ２）１９は、図８（ｅ）で実線で示したシェーディング補正係数Ｖ１（ｊ）の特性（Ｖ方向の上側が垂直方向の下位アドレスに相当し、Ｖ方向の下側が垂直方向の上位アドレスに相当）を用いて輝度データに対する乗算補正を行う。」
　
　「【００８８】また、上記の判別の結果、対象画像の２次元アドレスのうち、ＲＧＢ原色ベイヤーフィルタの垂直（列）方向のアドレスが偶数（即ち２次元の撮像素子配列でいう偶数行目）であり、且つ水平（行）方向のアドレスが奇数（即ち２次元の撮像素子配列でいう奇数列目）であるならば、ステップＳ８に進み、アドレス判別回路１１は所定信号ＨＳＥＬをＬレベル（０レベル）とする。その結果、セレクタ１６はＨメモリ（Ｈ１）１２の出力であるシェーディング補正係数Ｈ１（ｉ）を乗算回路（ＭＵＬ１）１８へ送る。
【００８９】次にステップＳ９で、アドレス判別回路１１は所定信号ＶＳＥＬをＨレベル（１レベル）とする。その結果、セレクタ１７はＶメモリ（Ｖ２）１５の出力であるシェーディング補正係数Ｖ２（ｊ）を乗算回路（ＭＵＬ２）１９へ送る。
【００９０】例えば、対象画素が図８（ａ）に示すＢの画素２４であるとした場合、乗算回路（ＭＵＬ１）１８は、図８（ｃ）で実線で示したシェーディング補正係数Ｈ１（ｉ）（Ｈ方向の左側が水平方向の下位アドレスに相当し、Ｈ方向の右側が水平方向の上位アドレスに相当）を用いて輝度データに対する乗算補正を行い、一方、乗算回路（ＭＵＬ２）１９は、図８（ｄ）で実線で示したシェーディング補正係数Ｖ２（ｊ）の特性（Ｖ方向の上側が垂直方向の下位アドレスに相当し、Ｖ方向の下側が垂直方向の上位アドレスに相当）を用いて輝度データに対する乗算補正を行う。
【００９１】また、上記の判別の結果、対象画像の２次元アドレスのうち、ＲＧＢ原色ベイヤーフィルタの垂直（列）方向のアドレスが偶数（即ち２次元の撮像素子配列でいう偶数行目）であり、且つ水平（行）方向のアドレスが偶数（即ち２次元の撮像素子配列でいう偶数列目）であるならば、ステップＳ１０に進み、アドレス判別回路１１は所定信号ＨＳＥＬをＨレベル（１レベル）とする。その結果、セレクタ１６はＨメモリ（Ｈ２）１３の出力であるシェーディング補正係数Ｈ２（ｉ）を乗算回路（ＭＵＬ１）１８へ送る。
【００９２】次にステップＳ１１で、アドレス判別回路１１は所定信号ＶＳＥＬをＨレベル（１レベル）とする。その結果、セレクタ１７はＶメモリ（Ｖ２）１５の出力であるシェーディング補正係数Ｖ２（ｊ）を乗算回路（ＭＵＬ２）１９へ送る。
【００９３】例えば、対象画素が図８（ａ）に示すＧの画素２５であるとした場合、乗算回路（ＭＵＬ１）１８は、図８（ｃ）で実線で示したシェーディング補正係数Ｈ２（ｉ）（Ｈ方向の左側が水平方向の下位アドレスに相当し、Ｈ方向の右側が水平方向の上位アドレスに相当）を用いて輝度データに対する乗算補正を行い、一方、乗算回路（ＭＵＬ２）１９は、図８（ｅ）で破線で示したシェーディング補正係数Ｖ２（ｊ）の特性（Ｖ方向の上側が垂直方向の下位アドレスに相当し、Ｖ方向の下側が垂直方向の上位アドレスに相当）を用いて輝度データに対する乗算補正を行う。」
　
コ　「【００９４】以上のように、アドレス判別回路１１は、対象画素の２次元的なアドレスを逐次判別し、水平・垂直それぞれのアドレスが奇数であるか偶数であるかによって、シェーディング補正係数のテーブルを切換える。これによって、図１２（ｃ）に示したような交換レンズ３と赤外光カットフィルタ４との光学的な組み合わせで生じる色シェーディングを防止することができる。なお、ここでは、赤色シェーディングを防止することを説明したが、特に赤色に限定されるものではなく、他の色の色シェーディングにも本発明は適用できる。」
　
（２）刊行物１に記載された発明の認定
ア　撮像装置
　刊行物１には、上記「（１）ア」、「（１）カ」のとおり、「感度補正（シェーディング補正）処理」を行う「撮像装置」が記載されていると認められる。
　
イ　シェーディング補正
（ア）ホワイトシェーディング
　上記「（１）イ」（特に、段落【０００７】〜【００１７】）によれば、刊行物１に記載の撮像装置は、
　「シェーディング補正」を行うものであり、上記「（１）カ」によれば、「撮影レンズと撮像素子デバイス構造との組み合わせで発生するシェーディングを補正する」（段落【００４６】、【００４７】）ものであり、
　上記「（１）イ」によれば、
　「撮影レンズ２０を通した光線が斜めに撮像素子に入射する場合は、撮影レンズ２０とマイクロレンズ２１との光学的な関係で、撮影レンズ２０の光軸から離れた領域（撮像素子の周辺部分）の各感光部には、本来の入射光線の一部しか入射しなくなってしまう」という「光量の低下を一般的にはホワイトシェーディング」と呼び、「この現象は、撮像素子上の画素位置が撮影レンズ２０の光軸から離れるに従って激しくなる」ものであるから（段落【００１０】、【００１１】）、
　刊行物１に記載の撮像装置は
　「撮影レンズと撮像素子デバイス構造との組み合わせで発生し、撮像素子上の画素位置が撮影レンズの光軸から離れるに従って激しくなるシェーディング」「（ホワイトシェーディング）」「を補正する」ため
　のものであると認められる。
　
　ここで、以下の検討の便宜上、「撮影レンズと撮像素子デバイス構造との組み合わせで発生し、撮像素子上の画素位置が撮影レンズの光軸から離れるに従って激しくなるシェーディング」のことを『』をつけて、『ホワイトシェーディング』と略し、その補正を『ホワイトシェーディング補正』と略することとする。
　
　『ホワイトシェーディング』
　　：「撮影レンズと撮像素子デバイス構造との組み合わせで発生し、撮像素子上の画素位置が撮影レンズの光軸から離れるに従って激しくなるシェーディング」
　
（イ）色シェーディング
　上記「（１）イ」（特に、段落【００１８】〜【００２１】）によれば、刊行物１に記載の撮像装置は、「撮像素子の特定の色チャンネルで発生する色シェーディングを補正することを可能に」（段落【００２１】）することを目的とするものであり、刊行物１でいう、その補正する色シェーディングは、
「赤外光カットフィルタの分光透過率特性と、撮像素子の分光感度特性の積で表わされる」、「撮像素子から出力される信号の感度特性」であって「撮像素子周辺部で」「赤フィルタを持つ画素の感度だけが」「低下する」（段落【００１９】）ものである。
　してみれば、
　刊行物１に記載の撮像装置は、
　「赤外光カットフィルタの分光透過率特性と、撮像素子の分光感度特性の積で表わされる、撮像素子から出力される信号の感度特性であって、赤フィルタを持つ画素の感度だけが撮像素子周辺部で低下する色シェーディングを補正する」ため
　のものであると認められる。
　
（ウ）まとめ
　以上、（ア）、（イ）から、刊行物１に記載の撮像装置は、
　「『ホワイトシェーディング』と、
　赤外光カットフィルタの分光透過率特性と、撮像素子の分光感度特性の積で表わされる、撮像素子から出力される信号の感度特性であって、赤フィルタを持つ画素の感度だけが撮像素子周辺部で低下する色シェーディングと
　を補正するため」のものであると認められる。
　
ウ　補正係数及び補正係数の記憶手段
　上記「（１）ウ」によれば、刊行物１に記載の撮像装置は、
　「撮像素子の平面上に２次元配列された各画素にそれぞれ対応したシェーディング補正係数を記憶する記憶手段」を有するようにしている
　と認められる。
　
エ　補正手段
（ア）　上記「（１）ウ」によれば、刊行物１に記載の撮像装置は、
　「前記撮像素子の各画素からそれぞれ取り出された輝度データに対して、前記記憶手段に記憶されたシェーディング補正係数の中から対応画素に関するシェーディング補正係数を抽出して補正演算する補正手段」を有するものであると認められる。
　そして、上記「（１）ク」（段落【００７０】）によれば、刊行物１に記載の撮像装置は、「ＲＧＢ原色ベイヤーフィルタ」を用いており、「Ｂフィルタを持つ画素の出力」、「Ｒフィルタを持つ画素の出力」、「Ｇフィルタを持つ画素の出力」それぞれに補正がなされるのであるから、「前記撮像素子の各画素からそれぞれ取り出された輝度データ」とは、「前記撮像素子の各画素からそれぞれ取り出された」「Ｒ、Ｇ、Ｂ信号」であるといえる。
　以上を踏まえれば、刊行物１に記載の撮像装置は、
　「前記撮像素子の各画素からそれぞれ取り出されたＲ、Ｇ、Ｂ信号に対して、前記記憶手段に記憶されたシェーディング補正係数の中から対応画素に関するシェーディング補正係数を抽出して補正演算する補正手段」を有していると認められる。
　
（イ）　上記「（１）エ」によれば、刊行物１に記載の撮像装置は、
　「特定波長領域を透過させない色フィルタが、前記撮像レンズと前記撮像素子との間に設けられている場合には、前記記憶手段は、前記色フィルタによって影響を受ける画素と、受けない画素とに分けて対応シェーディング補正係数を記憶する」とある。
　すなわち、補正係数は「色フィルタによって影響を受ける画素」に対応する補正係数と「（色フィルタによって影響を）受けない画素」に対応する補正係数とに分けて記憶されるといえる。
　
（ウ）　ホワイトシェーディングの補正
　上記「（１）キ」に示したとおり、刊行物１に記載の撮像装置は、「撮影レンズ２０とマイクロレンズ２１との光学的な関係で生じるシェーディング」（これが、『ホワイトシェーディング』であることは、上記「（１）イ」で示した、段落【００１１】に続く段落【００１２】の「この撮影レンズ２０と撮像素子上のマイクロレンズ２１との組み合わせで発生するホワイトシェーディング」という記載から明らかである。）「については、色フィルタの性能等に関係なく、撮像素子５の１画面分の出力に対して」、「補正する」。そして、色フィルタの性能等に関係なく、撮像素子の１画面分の出力に対して補正するのであるから、すべての色フィルタを持つ画素の出力、すなわち、ＲＧＢ原色ベイヤーフィルタを用いる場合には、Ｒ、Ｇ、Ｂフィルタを持つ画素の出力に対して補正をすることになる。
　よって、刊行物１に記載の撮像装置において、『ホワイトシェーディング補正』は、Ｒ、Ｇ、Ｂフィルタを持つ画素の出力に対して行うと認められる。
　
（エ）　色シェーディングの補正
　Ｒ、Ｇ、Ｂ信号に対するシェーディング補正は上記「（１）ク」及び「（１）ケ」の記載からすれば、「赤色チャンネルのみに大きくシェーディングが発生」（段落【００６８】）するとの前提に立つものであって、上記「（１）コ」の「なお、ここでは、赤色シェーディングを防止することを説明したが、特に赤色に限定されるものではなく、他の色の色シェーディングにも本発明は適用できる」によれば、刊行物１に記載の実施例は、色シェーディング補正は、赤色に限定して、色シェーディングを補正するものということができる。
　
　よって、刊行物１に記載の撮像装置において、色シェーディングの補正として、赤色シェーディングのみを防止するために、（（赤）色フィルタによって影響を受ける）Ｒ信号に対してのみ色シェーディング補正を行うものを認定することができる。
　
（オ）よって、（イ）〜（エ）によれば、刊行物１に記載の撮像装置において、
　『ホワイトシェーディング補正』は、Ｒ、Ｇ、Ｂフィルタを持つ画素の出力に対して行うと認められる。
　また、色シェーディングの補正はＲ信号に対してのみ行うと認められる。
　上記「（イ）」にもかんがみれば、「色フィルタによって影響を受ける画素」とは、Ｒフィルタを持つ画素であり、「色フィルタによって影響を受けない画素」とは、Ｇフィルタを持つ画素及びＢフィルタを持つ画素であると認められるから、
　刊行物１に記載の撮像装置において、
　Ｒ信号に対しては、『ホワイトシェーディング補正』と色シェーディング補正を行い、
　Ｇ信号及びＢ信号に対しては、『ホワイトシェーディング補正』のみを行う
　と認められる。
　
（カ）まとめ
　そして、（オ）のような補正は、「補正手段」によって行われるといえるから、刊行物１に記載の撮像装置は、
　「前記撮像素子の各画素からそれぞれ取り出されたＲ、Ｇ、Ｂ信号に対して、前記記憶手段に記憶されたシェーディング補正係数の中から対応画素に関するシェーディング補正係数を抽出して補正演算する補正手段を有し、
　該補正手段は、
　Ｒ信号に対しては、『ホワイトシェーディング補正』と色シェーディング補正を行い、
　Ｇ信号及びＢ信号に対しては、『ホワイトシェーディング補正』のみを行う」
　と認められる。
　
オ　引用発明
　以上を踏まえ、上記刊行物１記載事項及び図面を総合勘案すると、刊行物１記載の発明（引用発明）として、次のものを認めることができる。
　
　「撮影レンズと撮像素子デバイス構造との組み合わせで発生し、撮像素子上の画素位置が撮影レンズの光軸から離れるに従って激しくなるシェーディング（『ホワイトシェーディング』）と、
　赤外光カットフィルタの分光透過率特性と、撮像素子の分光感度特性の積で表わされる、撮像素子から出力される信号の感度特性であって、赤フィルタを持つ画素の感度だけが撮像素子周辺部で低下する色シェーディングとを補正するために、
　撮像素子の平面上に２次元配列された各画素にそれぞれ対応したシェーディング補正係数を記憶する記憶手段を有し、
　前記撮像素子の各画素からそれぞれ取り出されたＲ、Ｇ、Ｂ信号に対して、前記記憶手段に記憶されたシェーディング補正係数の中から対応画素に関するシェーディング補正係数を抽出して補正演算する補正手段を有し、
　該補正手段は、
　Ｒ信号に対しては、『ホワイトシェーディング補正』と色シェーディング補正を行い、
　Ｇ信号及びＢ信号に対しては、『ホワイトシェーディング補正』のみを行う
　ことを特徴とする撮像装置。」
　
（３）対比
　本願補正発明を引用発明と比較する。
　本願補正発明は、
　「各画素の画像信号におけるＲＧＢの各色信号のうち
１色または２色の色信号に対して
他の色
　当該補正手段は、
　「ＲＧＢの各色信号のうち
１色の色信号に対して
２色の色信号に対して
　そして、該補正手段を前者とした場合の本願補正発明では、明細書の記載（上記「３．（３）（イ）ア」で摘示した段落【００１６】、【００１７】、【００３４】、【００３７】、【００４９】、【００６０】、【００６１】、【００７７】等）及び上記「３．補正の範囲」の検討に照らせば、上記「１色の色信号」とはＲ信号であり、上記「他の色」とはＧ色とＢ色をいうものである。
　すなわち、上記「補正手段」は、前者の本願補正発明では、
　「各画素の画像信号におけるＲＧＢの各色信号のうちＲ信号（
１色の色信号
に対して
他の色
である。
　
　以降、この前者のものを本願補正発明として検討する。
　
ア　「ホワイトバランスのずれによる着色を補正するために」について
　本願補正発明が行う補正は、「ホワイトバランスのずれによる着色を補正するため」のものであるのに対し、引用発明は、『ホワイトシェーディング』と「色シェーディング」を補正するためとしており、「ホワイトバランスのずれによる着色を補正するため」とはしていない点で、本願補正発明と相違する。
　
イ　「補正対象の画素と画像中心部との距離を算出する距離算出手段」について
　本願補正発明は、「補正対象の画素と画像中心部との距離を算出する距離算出手段」を有しているのに対し、引用発明は、そのような「距離算出手段」を有していない点で相違する。
　
ウ　「該距離に対応した、画素位置による分光感度差補正用の補正値データが記憶された補正値データ記憶手段」について
（ア）「画素位置による分光感度差補正」について
＜本願補正発明＞
　上記のとおり「ＲＧＢの各色信号のうち
１色の色信号に対して
他の色
　本願補正発明は、
　色シェーディング（画像の中心部と画像の周辺部の分光感度差）は「１色（Ｒ）の色信号」に
のみ
　色シェーディングが生じた「１色（Ｒ）の色信号」に対して行う、色シェーディング（画像の中心部と画像の周辺部の分光感度差）をなくす補正であって、結果として他の色（ＧとＢ）との光量差が生じなくなる補正
　を行うものである。
　従って、本願補正発明の「画素位置による分光感度差補正」とは、
　色シェーディングが生じた「１色（Ｒ）の色信号」に対して行う、色シェーディング（画像の中心部と画像の周辺部の分光感度差）をなくす補正
　をいうものである。
　
＜引用発明との対比＞
　引用発明でいう「シェーディング」とは、
　『ホワイトシェーディング』と
　撮像素子の特定の色チャンネルで発生する色シェーディング
　とを含むものである。
　
≪色シェーディング≫
　このうち、引用発明における「色シェーディング」は、
　「赤外光カットフィルタの分光透過率特性と、撮像素子の分光感度特性の積で表わされる、撮像素子から出力される信号の感度特性であって、赤フィルタを持つ画素の感度だけが撮像素子周辺部で低下する」ものであり、これは画素位置による分光感度差によるものであるといえる。
　してみれば、引用発明における「Ｒ信号に対して」「色シェーディングを補正」する補正は、本願補正発明の「画素位置による分光感度差補正」と相違しないと認められる。
　
≪ホワイトシェーディング≫
　そして、引用発明における「シェーディング」に含まれる『ホワイトシェーディング』とは、撮影レンズと撮像素子デバイス構造との組み合わせで発生するものであり、上記「（１）イ」も踏まえれば、「撮影レンズからの入射光の入射角度に依存する空間的な感度不均一性」であるから、「感度差」によるものであるということができ、撮像素子上の画素位置が撮影レンズの光軸から離れるに従って激しくなるものであるから、「画素位置による」「感度差」によるものとはいえるものの、「分光」感度差によるものではない。
　すなわち、引用発明におけるＲ、Ｇ、Ｂ信号に対して『ホワイトシェーディング』を補正することは、「画素位置による」「感度差補正」であるといえるが、本願補正発明のような、「分光」感度差補正であるとはいえない。
　
＜まとめ＞
　以上を踏まえると、引用発明における、Ｒ信号に対して「色シェーディング」を補正することは、本願補正発明と同様に「画素位置による分光感度差補正」であるが、Ｒ、Ｇ、Ｂ信号に対して『ホワイトシェーディング』を補正することは画素位置による「分光」感度差補正ではない。
　
（イ）「補正値データ」について
　引用発明における「シェーディング補正係数」は、
　シェーディングを補正するための係数であり、この係数は値を有したデータであるといい得るから、本願補正発明でいう「補正値データ」に対応するものであるといえる。
　そして、引用発明は、「色シェーディング」と『ホワイトシェーディング』を補正するものであり、引用発明における「シェーディング補正係数」は、
　「色シェーディング」（画素位置による分光感度差）を補正する係数成分と『ホワイトシェーディング』（画素位置による感度差）を補正する係数成分の二種類の係数成分を含んでいると理解できる。
　具体的には、
　Ｒ信号に対しては、色シェーディングと『ホワイトシェーディング』の補正を行うので、Ｒ信号に対する補正係数成分は、「色シェーディング」（画素位置による分光感度差）を補正する係数成分と『ホワイトシェーディング』（画素位置による感度差）を補正する係数成分の二種類の係数成分を含んでおり、
　Ｇ信号及びＢ信号に対しては、『ホワイトシェーディング』の補正のみを行うので、Ｇ信号及びＢ信号に対する補正係数成分は、『ホワイトシェーディング』（画素位置による感度差）を補正する係数成分である。
　したがって、引用発明における「シェーディング補正係数」は、Ｒ信号について「画素位置による分光感度差」補正するための補正係数成分を含む点で、本願補正発明と相違しないが、
　引用発明では、
　Ｒ信号については、画素位置による「分光」感度差（Ｒ信号に対する色シェーディング）を補正するための補正係数に加え、『ホワイトシェーディング』を補正するための補正係数成分をも含む補正係数であり、
　Ｇ、Ｂ信号については、『ホワイトシェーディング』を補正するための補正係数であるのに対して、
　本願補正発明では、
　Ｒ、Ｇ、Ｂ信号について『ホワイトシェーディング』を補正するための補正値データ成分を含むとはしていない点で相違する。
　
（ウ）「補正値データが記憶された補正値データ記憶手段」について
　引用発明の「記憶手段」は「シェーディング補正係数」（補正値データ）を「記憶する」ものであるから、「補正値データが記憶された」「補正値データ記憶手段」である点で本願補正発明と相違しない。
　もっとも、補正値データの内容が上記「（イ）」のとおり相違する。
　
（エ）「「該距離に対応した」「補正値データ」が記憶された補正値データ記憶手段」について
　引用発明における、「シェーディング補正係数」（補正値データ）は、「撮像素子の平面上に２次元配列された各画素にそれぞれ対応した」ものではあるが、引用発明は上記「イ」のとおり「補正対象の画素と画像中心部との距離を算出する距離算出手段」を有しておらず、そのような（補正対象の画素と画像中心部との）「距離」「に対応した」ものではない点で、本願補正発明と相違する。
　
（オ）まとめ
　以上、（ア）〜（エ）によれば、本願補正発明と引用発明は、
　共に「画素位置による分光感度差補正用の補正値データが記憶された補正値データ記憶手段」を備えるといい得る点で相違しないものの、
　「補正値データ」が、
　引用発明では、
　　Ｒ信号については、画素位置による分光感度差（色シェーディング）を補正するための補正値データに加え、『ホワイトシェーディング』を補正するための補正値データ成分をも含む補正値データであり、
　　Ｇ、Ｂ信号については、『ホワイトシェーディング』を補正するための補正値データであって、
　　それらは、（補正対象の画素と画像中心部との）「距離に対応した」ものではないのに対し、
　本願補正発明では、
　　Ｒ、Ｇ、Ｂ信号について、『ホワイトシェーディング』を補正するための補正値データ成分を含むとはしておらず、
　　（補正対象の画素と画像中心部との）「距離に対応した」ものである
　点で、本願補正発明と相違する。
　
エ　「算出された距離に応じた補正値データから各画素毎の補正値を求める補正値抽出手段」について
　引用発明は、「撮像素子の各画素からそれぞれ取り出された輝度データに対して、前記記憶手段に記憶されたシェーディング補正係数」（補正値データ）「の中から」「対応画素に関するシェーディング補正係数」を「抽出して」「補正演算する補正手段」を有する構成となっており、「記憶手段に記憶されたシェーディング補正係数」（補正値データ）の中から「抽出」される「対応画素に関するシェーディング補正係数」は、本願補正発明の「各画素毎の補正値」に対応するものであるということができ、「補正値データから各画素毎の補正値を求める補正値抽出手段」を備えるとする点では、本願補正発明と相違しないと認められる。
　しかし、上記「ウ」のとおり、「補正値データ」が「算出された距離に応じた」ものではない点及び補正値データの内容において、本願補正発明と相違する。
　
オ　「各画素の画像信号におけるＲＧＢの各色信号のうちＲ信号（１色の色信号）に対して、該補正値抽出手段で求められた補正値を用いてＧ色とＢ色（他の色）との分光感度差による光量補正を行う補正手段」について
　引用発明は、「撮像素子の各画素からそれぞれ取り出されたＲ、Ｇ、Ｂ信号に対して、前記記憶手段に記憶されたシェーディング補正係数の中から対応画素に関するシェーディング補正係数を抽出して補正演算する補正手段」を備え、シェーディング補正を行うものであり、「シェーディング補正係数を抽出して補正演算する」ということは、当然に、シェーディング補正係数（補正値）を抽出して、当該シェーディング補正係数（補正値）を用いて、補正演算することであると理解されるから、「補正値抽出手段で求められた補正値を用いて」「光量補正を行う」（シェーディング補正を行う）といえ、この点で、本願補正発明と相違しないと認められる。
　
＜色シェーディングの補正＞
　本願補正発明でいう「他の色との分光感度差による光量補正」とは、
　色シェーディング（画像の中心部と画像の周辺部の分光感度差）は「１色（Ｒ）の色信号」に
のみ
　色シェーディングが生じた「１色（Ｒ）の色信号」に対して行う、色シェーディング（画像の中心部と画像の周辺部の分光感度差）をなくす補正であって、結果として他の色（ＧとＢ）との光量差が生じなくなる補正
　である。（上記「３．（２）（イ）」「第２の解釈」）
　引用発明で行う色シェーディングの補正は、
　撮像素子周辺部で赤フィルタを持つ画素の感度だけが低下することを補正するものであり、Ｒ信号に対してだけ行う（Ｇ信号及びＢ信号に対しては行わない）補正であり、その補正の結果、色シェーディング（画素位置による分光感度差）がない他の色（ＧとＢ）との光量差が生じなくなることになるから、
　本願補正発明でいう「各画素の画像信号におけるＲＧＢの各色信号のうちＲ信号（１色の色信号）に対して、」「Ｇ色とＢ色（他の色）との分光感度差による」「光量補正」を行うことと相違しないと認められる。
　
＜ホワイトシェーディング＞
　引用発明が、色シェーディングと並び補正する『ホワイトシェーディング』は、「感度差による」「光量補正」をするものであるということはできるものの、上記「ウ（ア）≪ホワイトシェーディング≫」で検討したとおり、「分光」感度差によるものではないから、引用発明は、「他の色（Ｇ色、Ｂ色）との」「分光」「感度差による」光量補正ではない、『ホワイトシェーディング』をＲ、Ｇ、Ｂ信号に対して行っている点で、本願補正発明と相違する。
　
＜補正値抽出手段で求められた補正値＞
　そして、引用発明においても、補正手段による補正において用いられる「補正値」が「補正値抽出手段で求められ」るといえることは、上記「エ」で検討したとおりである。
　
＜まとめ＞
　以上をまとめると、
　補正手段が、
　　各画素の画像信号におけるＲＧＢの各色信号のうちの１色の色信号（Ｒ信号）に対して、（該）補正値抽出手段で求められた補正値を用いて他の色（Ｇ、Ｂ）との分光感度差による光量補正を行うという点では、引用発明と本願発明は相違しない。
　そして、補正手段が、
　引用発明では、
　　ＲＧＢ３色の色信号について補正するものであって、
　　Ｒ信号（各画素の画像信号におけるＲＧＢの各色信号のうちの１色の色信号（Ｒ信号））に対して、
　　・該補正値抽出手段で求められた補正値を用いて他の色（Ｇ、Ｂ）との分光感度差による光量補正を行うことに加え、
　　・『ホワイトシェーディング補正』も行うとともに、
　　Ｇ、Ｂ信号に対して、『ホワイトシェーディング補正』を行うのに対して、
　本願補正発明では、
　　Ｒ、Ｇ、Ｂ信号に対して、『ホワイトシェーディング補正』を行う
とはしていない、点で相違する。
　
カ　「画像処理装置」について
　引用発明の「撮像装置」は、撮像素子の画素から得られたデータに対して、シェーディング補正を行うものであり、このような補正を行うことは、画像処理であるといえるから、「画像処理装置」であるといえる。
　
（４）一致点、相違点
　以上によれば、本願補正発明と引用発明の一致点、相違点は以下のとおりである。
　
＜一致点＞
「画素位置による分光感度差補正用の
補正値データ
　
補正値データ
　各画素の画像信号におけるＲＧＢの各色信号のうちの１色の色信号（Ｒ信号）に対して、該補正値抽出手段で求められた補正値を用いて他の色（Ｇ、Ｂ）との分光感度差による光量補正を行う
補正手段
　
＜相違点＞
＜相違点１＞
　本願補正発明は、ホワイトバランスのずれによる着色を補正するためのものに、とするのに対し、
　引用発明は、ホワイトシェーディング及び色シェーディングの補正のためとしており、ホワイトバランスのずれによる着色を補正するために、とはしていない点。
　
＜相違点２＞
　本願補正発明は、「補正対象の画素と画像中心部との距離を算出する距離算出手段」を備えているのに対し、
　引用発明は、そのような「距離算出手段」を備えておらず、
　
補正値データ
　本願補正発明では、「該距離に対応し、」「算出された距離に応じた」ものであるのに対し、
　引用発明では、「該距離に対応し、」「算出された距離に応じた」ものではない点。
　
＜相違点３＞
　
補正値データ
補正手段
　
　引用発明では、
　　
補正値データ
　　　Ｒ信号ついては、画素位置による分光感度差（色シェーディング）を補正するための補正値データに加え、『ホワイトシェーディング』を補正するための補正値データ成分をも含み、
　　　Ｇ、Ｂ信号については、『ホワイトシェーディング』を補正するための補正値データであり、
　　
補正手段
　　　ＲＧＢ３色の色信号について補正するものであって、
　　　Ｒ信号（各画素の画像信号におけるＲＧＢの各色信号のうちの１色の色信号（Ｒ信号））に対して、
　　　・該補正値抽出手段で求められた補正値を用いて他の色（Ｇ、Ｂ）との分光感度差による光量補正を行うことに加え、
　　　・『ホワイトシェーディング補正』も行うとともに、
　　　Ｇ、Ｂ信号に対して、『ホワイトシェーディング補正』を行うもの
　　　であるのに対して、
　
　本願補正発明では、
　　
補正値データ
　　　Ｒ、Ｇ、Ｂ信号に対して、『ホワイトシェーディング』を補正するための補正値データ成分を含むとはしておらず、
　　
補正手段
　　　Ｒ、Ｇ、Ｂ信号に対して、『ホワイトシェーディング補正』を行う、
　とはしていない点。
　
　但し、『ホワイトシェーディング』とは、上記「（２）イ（ア）」で示したとおり、「撮影レンズと撮像素子デバイス構造との組み合わせで発生し、撮像素子上の画素位置が撮影レンズの光軸から離れるに従って激しくなるシェーディング」をいい、『ホワイトシェーディング補正』とは、その補正をいう。
　
（５）判断
　事案にかんがみ、相違点３、相違点１、相違点２の順に検討する。
　
ア　相違点３について
（ア）相違点３の克服
　引用発明では、ＲＧＢ３色の信号に対して、『ホワイトシェーディング』の補正を行っているところ、このＲＧＢ３色の色信号に対して行う『ホワイトシェーディング』の補正を行わないようにすれば、相違点３は克服される。
　なぜなら、
　ＲＧＢ３色の信号に対して行う『ホワイトシェーディング』の補正を行わないのであれば、
　Ｒ信号についての「補正値データ」は、『ホワイトシェーディング』の補正をするための」補正値データ成分が含まれないものとなり、
　Ｇ、Ｂ信号についての『ホワイトシェーディング』を補正するための補正値データはなくなり、
　結果、
　
補正値データ
だけ
　
補正手段
　　Ｒ信号（各画素の画像信号におけるＲＧＢの各色信号のうちの１色の色信号（Ｒ信号））に対して行う、「該補正値抽出手段で求められた補正値を用いて他の色（Ｇ、Ｂ）との分光感度差による光量補正を行う」もののみになるからである。
　
（イ）相違点３の克服の容易想到性
　引用発明は、色シェーディングとホワイトシェーディングの両方の補正を行うものである。しかし、シェーディング補正を行うのに、必ずこれら両方の補正を行わなければならないというわけではない。
　色シェーディング補正のみを行うのか、ホワイトシェーディング補正のみ行うのか、両方の補正を行うのかは、必要に応じて当業者が適宜に選択し得る事項といえ、引用発明において、色シェーディング補正のみを行うようにすることは当業者であれば容易に想起し得たことである。
　そして、そのようにすることを妨げる特段の事情も認められない。
　
　また、下記の周知例１及び周知例２に見られるように、
　『ＲＧＢの３色の色信号からなるカラー画像において、色シェーディング補正のみを行う場合と、色シェーディングの補正とホワイトシェーディング（周知例１及び周知例２においては「輝度シェーディング」とされている。）の補正の両方の補正を行う場合があること』
　は、当業者にとって周知の事項である。
　このことからしても、引用発明において、色シェーディング補正のみを行うようにすることは当業者であれば容易になし得たことである。
　
　以上からみて、引用発明において、色シェーディング補正のみを行うようにして、相違点３を克服することは、当業者が容易に想起し得たことである。
　
　したがって、引用発明から、又は、引用発明及び上記周知の事項から、相違点３を克服することは当業者が容易になし得たことである。
　
　　　　　　　　　　　記　（周知例）
　
ａ　周知例１：特開平８−７９７７３号公報
　特開平８−７９７７３号公報（以下、「刊行物２」という。）には、図面とともに次の記載がある。
　
　「【００２０】このように本例においては、シェーディング補正ブロック１Ｒおよび１Ｂでそれぞれ赤色画像用および青色画像用の撮像素子のシェーディングが緑色画像用の撮像素子のシェーディングとほぼ一致するようにシェーディング補正が行われるため、クロマシェーディングの補正を良好に行うことができる。また、撮像素子より得られる赤原色信号Ｒおよび青原色信号Ｂに補正係数ＣＯＥをかけてシェーディング補正をするものであり、電気的にシェーディング補正が行われるものであるため、従来のトリオリングと異なり、大量生産に適した補正を行うことができる。また、２次曲面関数で近似した補正係数ＣＯＥが使用されるため、シェーディング補正能力が高く、クロマシェーディングをほぼ完全に補正することができる。」
　
　「【００２５】このように本例においては、シェーディング補正ブロック５Ｒ，５Ｇ，５Ｂでそれぞれ赤色画像用、緑色画像用、青色画像用の撮像素子のシェーディングがほぼゼロとなるようにシェーディング補正が行われるため、クロマシェーディングおよび輝度シェーディングの双方の補正を良好に行うことができる。また、撮像素子より得られる赤原色信号Ｒ、緑原色信号Ｇ、青原色信号Ｂに補正係数ＣＯＥをかけてシェーディング補正をするものであり、電気的にシェーディング補正が行われるものであるため、従来のトリオリングと異なり、大量生産に適した補正を行うことができる。また、２次曲面関数で近似した補正係数ＣＯＥが使用されるため、シェーディング補正能力が高く、クロマシェーディングおよび輝度シェーディングをほぼ完全に補正することができる。」
　
ｂ　周知例２：特開２０００−６９３７１号公報
　特開２０００−６９３７１号公報（以下、「刊行物３」という。）には、図面とともに次の記載がある。
　
　「【００２０】このように、この第１実施の形態では、シェーディング補正ブロック１Ｒと１Ｂでそれぞれ赤色画像用と緑色画像用の撮像素子のシェーディングが緑色画像用の撮像素子とほぼ一致するようにシェーディング補正が行われるため、クロマシェーディングの補正を良好に行うことができる。また、撮像素子より得られる赤原色信号Ｒおよび青原色信号Ｂにシェーディング補正系数ＣＯＥをかけてシェーディング補正するものであり、電気的にシェーディング補正が行われるものであるから、従来のトリオリングとは異なり、大量生産に適した補正を行うことができる。さらに、２次曲面関数で近似したシェーディング補正係数ＣＯＥが使用されているために、シェーディング補正力が高く、クロマシェーディングをほぼ完全に補正することができる。」
　
　「【００２４】このように、この図４で示す３板式カラービデオカメラの場合においては、シェーディング補正ブロック５Ｒ，５Ｇ，５Ｂでそれぞれ赤色画像用、緑色画像用、青色画像用の撮像素子のシェーディングがほぼゼロとなるようにシェーディング補正が行われるため、クロマシェーディングおよび輝度シェーディングの双方の補正を良好に行うことができる。撮像素子より得られる赤原色信号Ｒ、緑原色白信号Ｇ，青原色信号Ｂにシェーディング補正係数ＣＯＥをかけてシェーディング補正するものであり、電気的にシェーディング補正が行われるから、トリオリングとは異なり、大量生産に適した補正を行うことができる。さらに、２次曲面関数で近似した補正係数ＣＯＥが使用されるために、シェーディング補正能が高く、クロマシェーディングおよび輝度シェーディングをほぼ完全に補正することができる。」
　
　以上のとおり、ＲＧＢの３色の色信号からなるカラー画像において、色シェーディングの補正を行うためには、基準となる色信号（例えば緑（Ｇ）信号）のシェーディングと一致するようにその他の信号（赤（Ｒ）信号及び青（Ｂ）信号）のシェーディングを補正すればよく、色シェーディングとホワイトシェーディングの両方の補正を行うためには、ＲＧＢすべての色信号に補正処理を行う必要があることは、本件出願の時点において周知の事項である。
　
イ　相違点１について
（ア）相違点１の克服
　引用発明も、「色シェーディングの補正」を行っていることは、上記「（３）」ウ（ア）」から明らかであり、また、引用発明は、上記相違点３の克服をすることで、既に『ホワイトシェーディング補正』「のため」のものではなくなっているから、
　上記相違点３の克服をした引用発明を、「ホワイトバランスのずれによる着色を補正するために、」とすることで、上記相違点１は克服される。
　
　ところで、本願補正発明における「ホワイトバランスのずれによる着色を補正するために、」とは、本件出願の明細書の記載に照らせば、
　「赤外線カットフィルタ２と固体撮像素子３とを一つの系として考えた場合」「固体撮像素子３の光学中心である画像の中心部と、画像の周辺部とでは、波長が約６００ｎｍ赤色画素の分光感度特性（波長が約６００ｎｍ）に違いが生じ、画像の中心部に比べて画像の周辺部では感度が低くなり、Ｒ信号が小さくなる」（段落【００１６】）ので、
　「画像中心部に合わせてホワイトバランスを調整すると、画像周辺部ではホワイトバランスがずれることにな」り、「このため、周辺部に着色が発生し、周辺部の表示画像が著しく劣化してしまうという問題」（段落【００１７】）が生じるため、この「ホワイトバランスのずれによる着色を適正に補正する」（段落【００１９】）ために、
　要すれば、
　『画像中心部に合わせてホワイトバランスを調整すると、Ｒ信号の画素位置による分光感度差に起因して発生する周辺部の着色を補正するために、』
　を含んでいうものと理解される。
　ただ、本願補正発明は、「画像中心部に合わせて」、「周辺部の」と限定しているのではなく、
　また、ホワイトバランスは画面全体で（画面全体積分で）調整する（このこと自体、技術常識であり周知慣用である。）のが基本であり、Ｒ信号の感度だけが画面中心部に比べて周辺部で低いときに、画面全体で調整した場合には、画面中央部および周辺部で着色が生じることになることは当然であること等からすれば、
　本願補正発明の「ホワイトバランスのずれによる着色を補正するために、」とは、
　『ホワイトバランスを調整すると、Ｒ信号の画素位置による分光感度差に起因して発生する着色を補正するために、』と理解される。
　
　もっとも、本願補正発明は、「ホワイトバランスを調整すること」自体を発明特定要件として明記していないことから、
　（Ｉ）　「ホワイトバランスのずれによる着色を補正するために、」との要件は、
　あくまで、本願補正発明が備えるとする「補正手段」が行う補正の内容について、それが、
　『ホワイトバランスを調整すれば、Ｒ信号の画素位置による分光感度差に起因して発生する着色を補正する』
ものであること
　
　とはいえ、ホワイトバランスを調整することが予定されていることは明らかであるから、
（ＩＩ）「ホワイトバランスのずれによる着色を補正するために、」との要件は、
　ホワイトバランスを調整することを要求し、かつ、ホワイトバランスを調整しても、『Ｒ信号の画素位置による分光感度差に起因して発生する着色』が補正できることを要求するものとも、解することができる。
　
（イ）相違点１の克服の容易想到性
ａ　上記（Ｉ）と解する場合
　上記「相違点３の克服」をした引用発明が行う補正の内容は、
　『「１色の色信号（Ｒ信号）に対して、」「画素位置による分光感度差補正用の補正値データ」「から各画素毎」に求めた「補正値を用いて他の色（Ｇ、Ｂ）との分光感度差による光量補正を行う」補正』であり、
　この補正により、「Ｒ信号の画素位置による分光感度差」がなくなることは明らかであり、
　これは、
　『画像中心部に合わせてホワイトバランスを調整すれば』『
発生する
　『ホワイトバランスを調整すれば』『発生するホワイトバランスのずれによる着色』の原因がなくなること、
　を意味するから、
　この補正により、上記『
画像中心部に合わせて
周辺部の
　したがって、上記「相違点１」は、実質的な相違点ではない。
　すなわち、上記「相違点３」の克服をした引用発明は、実質上、本願補正発明と上記「相違点１」で相違するものではない。
　
ｂ　上記（ＩＩ）と解する場合
　刊行物１には、撮像装置の例としてデジタルスチルカメラが記載されているが、そのような撮像装置においては、ホワイトバランス調整を行うのが普通であり、ホワイトバランス調整を行うのが技術常識である。
　そして、ホワイトバランス調整は、シェーディング補正などの感度調整を行った後に行うことがごく一般的になされる処理順序であるものであり、引用発明においても、シェーディング補正（ホワイトシェーディング補正及び色シェーディング補正）を行った後、ホワイトバランス調整を行うようにすることは自然である。
　引用発明においても、ホワイトバランスを調整するとすることは、ごく普通のことに過ぎない。
　
　そして、引用発明において、色シェーディング補正のみを行うようにして、相違点３を克服した撮像装置がする補正の内容は、
　『「１色の色信号（Ｒ信号）に対して、」「画素位置による分光感度差補正用の補正値データ」「から各画素毎」に求めた「補正値を用いて他の色（Ｇ、Ｂ）との分光感度差による光量補正を行う」補正』であり、
　この補正により、「Ｒ信号の画素位置による分光感度差」がなくなることは明らかであり、これにより『ホワイトバランスを調整すれば』『
発生する
　引用発明において、ホワイトバランスを調整するとしたとき、
　『Ｒ信号の画素位置による分光感度差に起因して発生する着色』が補正されることになることも当然である。
　したがって、上記相違点３の克服をした引用発明を、「ホワイトバランスのずれによる着色を補正するために、」とすることも当業者が容易になし得たことである。
　
　また、周辺部の画素が中央部の画素よりも受光の効率が低下するシェーディングが発生するような状況下において、画像の中央部でＲＧＢの各色成分のバランスが最適となるようにホワイトバランスを行った場合、画像の周辺部が着色する問題があることは、本件出願時点において既に周知の事項でもあり（これには下記周知例３が参照される。）、
　このことからしても、
　引用発明が、
　『画像中心部に合わせてホワイトバランスを調整すれば』『発生するホワイトバランスのずれによる周辺部の着色』の問題を、
　（Ｒ信号の画素位置による分光感度差を補正するという技術により、）
　解決するものであると認識した上、
　引用発明に、
　ホワイトバランス調整をすることを付加し、
　『Ｒ信号の画素位置による分光感度差に起因して発生する着色』を補正できるようにすることは、当業者であれば容易になし得たことであるということができる。
　
ｃ　以上から、引用発明において相違点１を克服することは当業者が容易になし得たことである。
　
　　　　　　　　　　　記　（周知例）
　
（ａ）周知例３：特開２０００−３２４５０５号公報
　特開平２０００−３２４５０５号公報（以下、「刊行物４」という。）には、図面とともに次の記載がある。（ただし、下線は当審において附記した。）
　
　「【０００６】
【発明が解決しようとする課題】ところで、ＣＣＤ撮像素子では、周辺部の画素が中央部の画素よりも受光の効率が低下するシェーディングが発生することが知られている。例えば、ＣＣＤ撮像素子１００の中央部の画素において、オンチップマイクロレンズ１０４に入射する光束は、図７（ａ）のように垂直方向から入射するので、全てが受光部１０１に到達するのに対し、ＣＣＤ撮像素子１００の周辺部の画素において、オンチップマイクロレンズ１０４に入射する光束は、図７（ｂ）のように斜め方向から入射するので、一部が受光部１０１に到達しない。そのため、ＣＣＤ撮像素子１００の周辺部の画素では、受光の効率が低下することになる。
【０００７】なお、シェーディングによる受光の効率の低下は、撮影レンズの絞り値が大きいほど顕著に現れ、撮影レンズの光軸からの距離が同一であっても、射出瞳距離および射出瞳の半径（以下、「射出瞳半径」と称する）によって異なる特性を示す。一般に、射出瞳距離が長い場合、撮影レンズがテレセントリック光学系に近くなるので、シェーディングの影響は小さくなる。
【０００８】また、撮影レンズは、画角に応じて周辺光量が低下する性質（以下、「周辺減光」と称する）を有する。すなわち、画像信号の信号レベルは、撮像面の中心（撮影レンズの光軸に相当する）からの距離に応じて変化する。そのため、画像の周辺部では、シェーディングと周辺減光の両方の影響を受ける。
【０００９】したがって、画像信号の信号レベルは、特開平８−６５９９号公報や特開平８−２２３５８７号公報に記載されているような撮影レンズの絞り値や射出瞳距離だけでなく、撮像面の中心からの距離や射出瞳半径によっても変化することになる。例えば、絞り値や
撮像面の中心からの距離に対する画像信号の信号レベルの変化は、
図８（ａ）のようになり、
画面の中央部でＲＧＢの各色成分のバランスが最適となるようにオートホワイトバランスを行った場合、画面の周辺部が青緑がかった色（Ｒ＜Ｇ＜Ｂ）になってしまう。
　
　刊行物４の上記段落【０００９】の記載及び図８（ａ）によれば、Ｒ信号は画像の中央部と周辺部で分光感度差があり、そのために、画面の中央部でＲＧＢの各色成分のバランスが最適となるようにホワイトバランスを行った場合、画面の周辺部が着色すること、が記載されているといえる。
　
ウ　相違点２について
（ア）相違点２の克服
　引用発明において、「補正対象の画素と画像中心部との距離を算出する距離算出手段」を備えるようにして、補正値データを（当該距離算出手段によって算出された）「該距離に対応し、」、「算出された距離に応じた」ものとすれば相違点２は克服される。
　
（イ）相違点２の克服の容易想到性
ａ　刊行物に記載の技術
（ａ）原査定の拒絶の理由に引用された特開２００２−２３７９９８号公報（以下、「刊行物５」という。）には、図面とともに次の記載がある。
　
　「【０００１】
【発明の属する技術分野】本発明は、例えばデジタルカメラに使用して好適な画面補正方法及び撮像装置に関する。詳しくは、例えばレンズ系による周辺光量落ちに対するシェーディング等の補正を、単一の構成で画素数の異なる撮像部に対しても良好に行うことができるようにするものである。」
　
　「【０００５】すなわちこのようなレンズ系を用いて撮像を行う装置において、上述の歪みや周辺光量落ち、色にじみ等のレンズシェーディングは、レンズ系の光軸からの距離の関数になっていると考えられる。そこでこのような距離に応じて撮像された画素の信号を補正することで、上述のレンズシェーディングを軽減、若しくは補正することができる。従ってこのような補正を行うためには、まず補正対象画素がレンズ系の光軸からのどのくらい離れているか計算する必要がある。」
　
　「【００１３】
【発明の実施の形態】すなわち本発明の画面補正方法は、画面上の所望の点について任意の点からの距離値を算出し、算出された距離値に基づいて画面の補正を行う画面補正方法であって、画面を撮影する撮像部の画素数に応じて距離値を変換し、変換された距離値を用いて画面補正のための補正係数を求めてなるものである。
【００１４】また、本発明の撮像装置は、レンズ系とＸＹ座標に従って信号が取り出される撮像部とを有する撮像装置であって、レンズ系の光軸に対応する点のＸＹ座標と所望の点のＸＹ座標とが入力されて光軸に対応する点と所望の点との距離を算出する算出手段と、算出された距離値を撮像部の画素数に応じて変換する変換手段と、変換された距離値を用いて画面補正のための補正係数を求める補正係数形成手段と、補正係数を用いて画面の補正を行う画面補正手段とを有してなるものである。」
　
　「【００３６】そしてこの変換器６で変換された距離値がルックアップテーブル（ＬＵＴ）８に供給される。このルックアップテーブル８には、例えば光軸中心位置との距離に応じた周辺光量落ちなどを補正する補正係数が設けられ、供給される距離値に応じた補正係数が取り出されるものである。・・・」
　
（ｂ）原査定の拒絶の理由に引用された特開平９−３０７７８９号公報（以下、「刊行物６」という。）には、図面とともに次の記載がある。
　
　「【０００１】
【発明の属する技術分野】本発明は画像処理装置、更に詳しくは画像のシェーディング（周辺光量落ち）を補正する部分に特徴のある画像処理装置に関する。」
　
　「【０００７】
【課題を解決するための手段】本発明の画像処理装置は、カメラ撮影画像のシェーディングを補正する画像処理装置において、画面中心から各画素までの距離の近似値を算出する半径近似手段と、前記半径近似手段の出力を、前記カメラ撮影画像の画像信号のシェーディング補正を行うための補正係数に変換する補正係数テーブルと、前記補正係数テーブルの出力する前記補正係数に基づいて前記画像信号を補正する補正手段とを備えて構成される。」
　
（ｃ）刊行物５及び刊行物６に記載の技術
　以上のとおり、刊行物５、６には「シェーディング補正を行う場合に、画素位置による補正データを、補正対象の画素と画像中心部との距離を算出し、当該距離に対応したものとすること」が記載されているといえ、この技術は、本件出願の時点において既に知られていた技術である。
　
ｂ　容易想到性
　引用発明に記載において補正するシェーディングは、撮像素子上の画素位置が撮影レンズの光軸から離れるに従って激しくなるものであり、引用発明が補正するシェーディングは、補正対象の画素と画像中心部との距離が離れるに従って大きくなるものである。
　そして、刊行物１には、上記「（１）カ」のとおり、「本来は撮像素子を中心とした同心円状にシェーディング補正係数を対応させるべき」（段落【００４９】）であることが記載されており、撮像素子を中心とした同心円状にシェーディング補正係数を対応させるということは、すなわち、画像中心部からの距離にシェーディング補正係数を対応させるということであるといえること、
　シェーディング補正係数を、撮像素子の平面上に２次元配列された各画素にそれぞれ対応させたものとするよりは、補正対象の画像と画像中心部との距離に対応するものとした方が、補正値データ記憶手段に記憶するシェーディング補正係数のデータ量は少なくなることは当業者に明らかであること、
　に、かんがみれば、シェーディング補正を行うという引用発明と共通した技術分野において、補正データを補正対象の画素と画像中心部との距離を算出し、当該距離に対応したものとするという、刊行物５、６に記載の技術に接した当業者であれば、引用発明においても、シェーディング補正係数（補正データ）を補正対象の画像と画像中心部との距離に対応するものとすることは、容易に想起し得たことであると認められる。
　その際、補正対象の画素と画像中心部との距離を求める何らかの手段が必要であることは当然であるから、そのような距離を算出する手段を設けることも、当業者であれば容易に想起することができたものであると認められる。
　したがって、引用発明に刊行物５、６に記載の技術を適用して相違点２を克服することは当業者が容易になし得たことである。
　
エ　判断についてのまとめ
　上記のように、相違点１、２、３に係る本願補正発明（上記「（３）」で示した「前者」としたもの）の構成はいずれも当業者が容易に想到できることであり、引用発明を出発点として、上記相違点１、２、３の克服を行うことで、本願補正発明（「前者」のもの）の構成は、当業者が容易に想到できるものである。
　本願補正発明（「前者」のもの）の効果も、その容易に想到できる構成から当業者が予測し得る範囲内のものであり、同範囲を超える格別顕著なものでもない。
　したがって、本願補正発明（「前者」のもの）は、引用発明、刊行物５、６に記載の技術、及び、周知の事項に基づいて、当業者が容易に発明することができたものである。
　
　そして、本願補正発明は、その補正手段として、「ＲＧＢの各色信号のうち
１色または２色の色信号に対して
　その補正手段として「ＲＧＢの各色信号のうち
１色の色信号に対して
　「
１色または２色の色信号に対して
　
（６）独立特許要件についてのまとめ
　以上のとおり、本願補正発明は、刊行物１に記載された発明、刊行物５、６に記載の技術、及び、周知の事項に基づいて、当業者が容易に発明をすることができたものであるから、特許法第２９条第２項の規定により、特許出願の際独立して特許を受けることができないものである。
　
６．本件補正についてのむすび
　したがって、
（１）本件補正は、平成１４年法律第２４号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。（第１の解釈）
（２）仮に、上記（１）の理由で却下すべきものでないとしても、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。（第２の解釈）
（３）よって、［補正却下の決定の結論］のとおり決定する。
　
第３　本願発明について
１．本願発明
　平成１９年７月２５日付けの手続補正は上記のとおり却下されたので、本願の請求項１に係る発明（以下、同項記載の発明を「本願発明」という。）は、平成１９年５月８日付け手続補正書の特許請求の範囲の請求項１に記載された事項により特定される、以下のとおりのものである。
　
「ホワイトバランスのずれによる着色を補正するために、
　画素位置による分光感度差補正用の補正値データが記憶された補正値データ記憶手段と、
　該補正値データ記憶手段に記憶された補正値データを用いて各画素毎の補正値を求める補正値抽出手段と、
　各画素の画像信号の少なくとも１色の色信号に対して、該補正値抽出手段で算出された補正値を用いて光量補正を行う補正手段とを備えた画像処理装置。」
　
２．引用刊行物
　前記「第２　［補正却下の決定の理由］５．（１）」において引用した刊行物のうち、刊行物１〜４を引用する。これらの刊行物には、前記「第２　［補正却下の決定の理由］５．（１）」、および、「第２　［補正却下の決定の理由］５．（５）」で摘示したとおりの記載がある。
　そして、「第２　［補正却下の決定の理由］５．（２）」のとおり、引用発明を認定する。
　
３．本願発明と本願補正発明との関係
　本願発明は、上記「第２」で検討した本願補正発明において、
（１）「補正対象の画素と画像中心部との距離を算出する距離算出手段と、
　該距離に対応した、画素位置による分光感度差補正用の補正値データが記憶された補正値データ記憶手段」を
　「画素位置による分光感度差補正用の補正値データが記憶された補正値データ記憶手段」として限定を省き、
（２）「算出された距離に応じた補正値データから各画素毎の補正値を求める補正値抽出手段」を
　「該補正値データ記憶手段に記憶された補正値データを用いて各画素毎の補正値を求める補正値抽出手段」として限定を省き、
（３）「各画素の画像信号におけるＲＧＢの各色信号のうち１色または２色の色信号に対して」を
　「各画素の画像信号の少なくとも１色の色信号に対して」として限定を省き、
（４）「他の色との分光感度差による光量補正」を
　「光量補正」として、限定を省いたものである。
　
４．対比
　本願発明は、「各画素の画像信号の
少なくとも１色の色信号に対して
　「第２　［補正却下の決定の理由］５．（３）」での検討と同様、
　当該補正手段は、
　「各画素の画像信号の
１色の色信号に対して
　「１色の色信号」とは、Ｒ信号をいうものであるから、
　上記「補正手段」は、「１色の場合」の本願発明では、
　「各画素の画像信号のＲ信号（１色の色信号）に対して、該補正値抽出手段で算出された補正値を用いて光量補正を行う補正手段」
である。
　
　以降、この「１色の場合」のものを本願発明として検討する。
　
（１）上記「３．（１）」及び「３．（２）」の限定を省くことにより、本願発明は「距離算出手段」を備えず、「補正値データ」は当該「距離算出手段」「によって算出された」「距離に対応した」ものではなくなったので、上記「第２　［補正却下の決定の理由］５．（４）」の相違点２に示した相違は存在しなくなる。
　もっとも、引用発明は、Ｒ、Ｇ、Ｂ信号に対してホワイトシェーディング補正も行うものであるから、上記「第２　［補正却下の決定の理由］５．（４）」の相違点３のうち、補正値データに関する相違は残存する。
　
（２）上記「３．（３）」の限定を省くことにより、本願発明は「各画素の画像信号のＲ信号（１色の色信号）に対して」光量補正を行うものとなったので、ＲＧＢの３色の色信号に光量補正を行う引用発明とこの点において相違はないことになる。
　
（３）上記「３．（４）」の限定を省くことにより、本願発明は「光量補正」を行う補正手段を備えるものとなったので、上記「第２　［補正却下の決定の理由］５．（３）オ」のとおり、引用発明も「光量補正」を行う補正手段を備えるものであり、その点においては、本願発明と相違しないことになるが、上記「第２　［補正却下の決定の理由］５．（４）」の相違点３のうち、補正手段が行う補正の内容に関する相違は上記「（２）」に示した点を除き残存する。
　
（４）上記「第２　［補正却下の決定の理由］５．（４）」の相違点１は、引き続き存在する。
　
５．一致点、相違点
　以上によれば、本願発明と引用発明の一致点、相違点は以下のとおりである。
　
＜一致点＞
「画素位置による
分光
　該補正値データ記憶手段に記憶された補正値データを用いて各画素毎の補正値を求める補正値抽出手段と、
　各画素の画像信号のＲ信号（１色の色信号）に対して、該補正値抽出手段で算出された補正値を用いて光量補正を行う補正手段とを備えた画像処理装置。」
　
＜相違点＞
＜相違点１＞
　本願発明は、ホワイトバランスのずれによる着色を補正するためのものであるのに対し、引用発明は、『ホワイトシェーディング』及び色シェーディングの補正のためとしており、ホワイトバランスのずれによる着色を補正するため、とはしていない点。
　
＜相違点２＞
　
補正値データ
補正手段
　
　引用発明では、
　　
補正値データ
　　　Ｒ信号ついては、画素位置による分光感度差（色シェーディング）を補正するための補正値データに加え、『ホワイトシェーディング』を補正するための補正値データ成分をも含み、
　　　Ｇ、Ｂ信号については、『ホワイトシェーディング』を補正するための補正値データであるのに対して、
　　
補正手段
　　　Ｒ信号（各画素の画像信号におけるＲＧＢの各色信号のうちの１色の色信号（Ｒ信号））に対して、
　　　・該補正値抽出手段で求められた補正値を用いて他の色（Ｇ、Ｂ）との分光感度差による光量補正を行うことに加え、
　　　・『ホワイトシェーディング補正』も行うとともに、
　　　Ｇ、Ｂ信号に対して、『ホワイトシェーディング補正』を行うもの
　　　であるのに対して、
　
　本願発明では、
　　
補正値データ
　　　Ｒ、Ｇ、Ｂ信号に対して、『ホワイトシェーディング』を補正するための補正値データ成分を含むとはしておらず、
　　
補正手段
　　　Ｒ、Ｇ、Ｂ信号に対して、『ホワイトシェーディング補正』を行う、
とはしていない点。
　
　但し、『ホワイトシェーディング補正』とは、「撮影レンズと撮像素子デバイス構造との組み合わせで発生し、撮像素子上の画素位置が撮影レンズの光軸から離れるに従って激しくなるシェーディング」をいう。
　
６．判断
　相違点２、相違点１の順に検討する。
　
（１）相違点２について
　本願補正発明と引用発明との相違点３の克服が容易想到であるとした理由と同じ理由により、相違点２の克服も当業者が容易になし得ることである。
　
（２）相違点１について
　本願補正発明と引用発明との相違点１の克服が容易想到であるとした理由と同じ理由により、相違点１の克服も当業者が容易になし得ることである。
　
（３）まとめ
　上記のように、相違点１、２に係る本願発明（上記「４．」で示した「１色の場合」としたもの）の構成はいずれも当業者が容易に想到できることであり、引用発明を出発点として、上記相違点１、２の克服をそれぞれ行うことで、本願発明（「１色の場合」のもの）の構成は、当業者が容易に想到できるものである。
　本願発明（「１色の場合」のもの）の効果も、その容易に想到できる構成から当業者が予測し得る範囲内のものであり、同範囲を超える格別顕著なものでもない。
　したがって、本願発明（「１色の場合」のもの）は、引用発明、及び、周知の事項に基づいて、当業者が容易に発明することができたものである。
　
　そして、本願発明は、その補正手段として「各画素の画像信号の
少なくとも１色の色信号に対して
　補正手段が「各画素の画像信号の
１色の色信号に対して
　「
少なくとも１色の色信号に対して
　
７．むすび
　以上のとおり、本願発明は、刊行物１に記載された発明、及び、周知の事項に基づいて、当業者が容易に発明をすることができたものであるから、特許法第２９条第２項の規定により特許を受けることができない。
　したがって、その余の請求項について言及するまでもなく、本願は、拒絶すべきものである。
　よって、結論のとおり審決する。